(57)【要約】本出願は、通信技術に関し、特に、システム情報を送信するための方法、基地局、端末、およびシステムに関する。システム情報を送信するための方法において、端末は、アップリンク信号を送信し、アップリンク信号は基地局をトリガして第１のシステム情報を送信させるために使用され、第１のシステム情報はセルにキャンプオンするために端末によって使用され、これに対応して、基地局は端末によって送信されるアップリンク信号を受信し、基地局は、第１のシステム情報を端末の位置を示すビームに載せて送信し、これに対応して、端末は、基地局により端末の位置を示すビームに載せて送信される第１のシステム情報を受信する。本出願で提供される解決策によると、システム情報がオンデマンドで送信されることができるので、基地局の電力消費およびシステムオーバヘッドが低減される。
2018532347.tif 000002
【特許請求の範囲】
【請求項１】
システム情報を送信するための方法であって、
基地局によって、端末により送信されるアップリンク信号を受信するステップであり、前記アップリンク信号は前記基地局をトリガして第１のシステム情報を送信させるために使用され、前記第１のシステム情報はセルにキャンプオンするために前記端末によって使用されるステップと、
前記基地局によって、前記第１のシステム情報を前記端末の位置を示すビームに載せて送信するステップと
を含む方法。
【請求項２】
基地局によって、端末により送信されるアップリンク信号を受信する前記ステップの前に、前記方法はさらに、
前記セル中の前記基地局によって、少なくとも１つのビームを用いることによってダウンリンク信号を送信するステップであり、前記ダウンリンク信号はダウンリンクディスカバリリファレンス信号ＤＲＳを含み、前記ダウンリンクＤＲＳは前記セルを発見するために前記端末によって使用されるステップを含む、請求項１に記載の方法。
【請求項３】
基地局によって、前記端末により送信されるアップリンク信号を受信する前記ステップは、
前記基地局によって、前記端末により送信される前記アップリンク信号を前記アップリンク信号のプリセット構成情報に応じて受信するステップを含む、請求項２に記載の方法。
【請求項４】
前記ダウンリンク信号はさらに、前記アップリンク信号の構成情報を含み、基地局によって、前記端末により送信されるアップリンク信号を受信する前記ステップは、
前記基地局によって、前記端末により送信される前記アップリンク信号を前記アップリンク信号の前記構成情報に応じて受信するステップであって、前記アップリンク信号の前記構成情報は前記基地局によって送信される、ステップを含む、請求項２に記載の方法。
【請求項５】
前記基地局によって、前記第１のシステム情報を前記端末の位置を示すビームに載せて送信する前記ステップの後に、前記方法はさらに、
無線リソース制御ＲＲＣ接続設定処理中にまたは前記第１のシステム情報に応じて前記端末により開始されたＲＲＣ接続設定処理の後で、第２のシステム情報を前記端末の位置を示す前記ビームに載せて送信するステップであり、前記第２のシステム情報は前記セル内で通信を実行するために前記端末によって使用される、ステップを含む、請求項１〜４のいずれかに記載の方法。
【請求項６】
ＲＲＣ接続設定処理中にまたは前記第１のシステム情報に応じて前記端末により開始されたＲＲＣ接続設定処理の後で前記基地局によって、第２のシステム情報を前記端末の位置を示す前記ビームに載せて送信する前記ステップは、以下の場合のうちの一方を、すなわち、
ＲＲＣ接続設定メッセージを送信後に前記基地局が前記第２のシステム情報を送信する場合と、
前記端末により送信されるＲＲＣ接続設定完了メッセージを受信後に前記基地局が前記第２のシステム情報を送信する場合のうちの一方を含む、請求項５に記載の方法。
【請求項７】
前記第１のシステム情報は、ブロードキャストチャネル構成情報、オペレータ情報、および追跡エリア情報のうちの１つを含む、請求項１〜４のいずれかに記載の方法。
【請求項８】
前記第１のシステム情報はさらに、ページングチャネル構成情報を含み、前記ページングチャネル構成情報はページングウィンドウを計算するために前記端末によって使用される、請求項７に記載の方法。
【請求項９】
システム情報を受信するための方法であって、
端末によって、アップリンク信号を送信するステップであり、前記アップリンク信号は基地局をトリガして第１のシステム情報を送信させるために使用され、前記第１のシステム情報はセルにキャンプオンするために前記端末によって使用されるステップと、
前記端末によって、前記基地局により前記端末の位置を示すビームに載せて送信される前記第１のシステム情報を受信するステップと
を含む方法。
【請求項１０】
端末によって、アップリンク信号を送信する前記ステップの前に、前記方法はさらに、
前記端末によって、少なくとも１つのビームを用いることによって前記セル中の前記基地局により送信されるダウンリンク信号を受信するステップであり、前記ダウンリンク信号はダウンリンクディスカバリリファレンス信号ＤＲＳを含み、前記ダウンリンクＤＲＳは前記セルを発見するために前記端末によって使用されるステップを含む、請求項９に記載の方法。
【請求項１１】
端末によって、アップリンク信号を送信する前記ステップの前に、前記方法はさらに、
前記端末によって、前記ダウンリンクＤＲＳに応じて前記セルがキャンピングに適していることを事前に判定するステップを含む、請求項１０に記載の方法。
【請求項１２】
端末によって、アップリンク信号を送信する前記ステップは、
前記端末によって、前記アップリンク信号を前記アップリンク信号のプリセット構成情報に応じて前記基地局に送信するステップを含む、請求項１１に記載の方法。
【請求項１３】
前記ダウンリンク信号はさらに、前記アップリンク信号の構成情報を含み、端末によって、アップリンク信号を送信する前記ステップは、
前記端末によって、前記アップリンク信号を前記アップリンク信号の前記構成情報に応じて前記基地局に送信するステップであって、前記アップリンク信号の前記構成情報は前記基地局によって送信される、ステップを含む、請求項１１に記載の方法。
【請求項１４】
前記端末によって、前記基地局により前記端末の位置を示すビームに載せて送信される前記第１のシステム情報を受信する前記ステップの後に、前記方法はさらに、
前記端末によって、前記第１のシステム情報に応じて前記基地局に対して無線リソース制御ＲＲＣ接続設定処理を開始するステップと、
前記ＲＲＣ接続設定処理中にまたは前記ＲＲＣ接続設定処理の後で、前記端末によって、前記基地局により前記端末の位置を示す前記ビームに載せて送信される第２のシステム情報を受信するステップであり、前記第２のシステム情報は前記セル内で通信を実行するために前記端末によって使用されるステップと
を含む、請求項９〜１３のいずれかに記載の方法。
【請求項１５】
前記ＲＲＣ接続設定処理中にまたは前記ＲＲＣ接続設定処理の後で前記端末によって、前記基地局により前記端末の位置を示す前記ビームに載せて送信される第２のシステム情報を受信する前記ステップは、以下の場合のうちの一方を、すなわち、
前記基地局がＲＲＣ接続設定メッセージを送信後に、前記端末が前記基地局により送信される前記第２のシステム情報を受信する場合と、
前記基地局が前記端末により送信されるＲＲＣ接続設定完了メッセージを受信後に、前記端末が前記基地局により送信される前記第２のシステム情報を受信する場合のうちの一方を含む、請求項１４に記載の方法。
【請求項１６】
前記第１のシステム情報は、ブロードキャストチャネル構成情報、オペレータ情報、および追跡エリア情報のうちの１つを含む、請求項９〜１３のいずれかに記載の方法。
【請求項１７】
前記第１のシステム情報はさらに、ページングチャネル構成情報を含み、前記ページングチャネル構成情報はページングウィンドウを計算するために前記端末によって使用され、前記端末によって、前記基地局により前記端末の位置を示すビームに載せて送信される第１のシステム情報を受信した後に、前記方法はさらに、
前記端末によって、前記ページングチャネル構成情報に応じて前記ページングウィンドウを計算するステップを含む、請求項１６に記載の方法。
【請求項１８】
端末により送信されるアップリンク信号を受信するように構成される受信機であり、前記アップリンク信号は前記基地局をトリガして第１のシステム情報を送信させるために使用され、前記第１のシステム情報はセルにキャンプオンするために前記端末によって使用される受信機と、
前記第１のシステム情報を前記端末の位置を示すビームに載せて送信するように構成される送信機と
を含む基地局。
【請求項１９】
前記送信機は、
前記受信機が前記端末により送信される前記アップリンク信号を受信する前に、前記セルにおいて、少なくとも１つのビームを用いることによってダウンリンク信号を送信するようにさらに構成され、前記ダウンリンク信号はダウンリンクディスカバリリファレンス信号ＤＲＳを含み、前記ダウンリンクＤＲＳは前記セルを発見するために前記端末によって使用される、請求項１８に記載の基地局。
【請求項２０】
前記受信機は、前記端末により送信される前記アップリンク信号を前記アップリンク信号のプリセット構成情報に応じて受信するように具体的に構成される、請求項１９に記載の基地局。
【請求項２１】
前記ダウンリンク信号はさらに、前記アップリンク信号の構成情報を含み、前記受信機は、前記端末により送信される前記アップリンク信号を前記アップリンク信号の前記構成情報に応じて受信するように具体的に構成され、前記アップリンク信号の前記構成情報は前記送信機によって送信される、請求項１９に記載の基地局。
【請求項２２】
前記送信機は、前記第１のシステム情報を前記端末の位置を示す前記ビームに載せて送信した後に、無線リソース制御ＲＲＣ接続設定処理中にまたは前記第１のシステム情報に応じて前記端末により開始されたＲＲＣ接続設定処理の後で、第２のシステム情報を前記端末の位置を示す前記ビームに載せて送信するようにさらに構成され、前記第２のシステム情報は前記セル内で通信を実行するために前記端末によって使用される、請求項１８〜２１のいずれかに記載の基地局。
【請求項２３】
前記送信機が、ＲＲＣ接続設定処理中にまたは前記第１のシステム情報に応じて前記端末により開始されたＲＲＣ接続設定処理の後で、第２のシステム情報を前記端末の位置を示す前記ビームに載せて送信することは、以下の場合のうちの一方を、すなわち、
前記送信機が、ＲＲＣ接続設定メッセージを送信後に前記第２のシステム情報を送信する場合と、
前記送信機が、前記受信機が前記端末により送信されるＲＲＣ接続設定完了メッセージを受信後に前記第２のシステム情報を送信する場合のうちの一方を含む、請求項２２に記載の基地局。
【請求項２４】
前記第１のシステム情報は、ブロードキャストチャネル構成情報、オペレータ情報、および追跡エリア情報のうちの１つを含む、請求項１８〜２１のいずれかに記載の基地局。
【請求項２５】
前記第１のシステム情報はさらに、ページングチャネル構成情報を含み、前記ページングチャネル構成情報はページングウィンドウを計算するために前記端末によって使用される、請求項２４に記載の基地局。
【請求項２６】
アップリンク信号を送信するように構成される送信機であり、前記アップリンク信号は基地局をトリガして第１のシステム情報を送信させるために使用され、前記第１のシステム情報はセルにキャンプオンするために前記端末によって使用される送信機と、
前記基地局によって前記端末の位置を示すビームに載せて送信される前記第１のシステム情報を受信するように構成される受信機と
を含む端末。
【請求項２７】
前記受信機は、前記端末がアップリンク信号を送信する前に、少なくとも１つのビームを用いることによって前記セル中の前記基地局により送信されるダウンリンク信号を受信するようにさらに構成され、前記ダウンリンク信号はダウンリンクディスカバリリファレンス信号ＤＲＳを含み、前記ダウンリンクＤＲＳは前記セルを発見するために前記端末によって使用される、請求項２６に記載の端末。
【請求項２８】
前記端末は、前記ダウンリンクＤＲＳに応じて前記セルがキャンピングに適していることを事前に判定するようにさらに構成される少なくとも１つのプロセッサを含む、請求項２７に記載の端末。
【請求項２９】
前記送信機は、前記アップリンク信号を前記アップリンク信号のプリセット構成情報に応じて前記基地局に送信するように具体的に構成される、請求項２８に記載の端末。
【請求項３０】
前記ダウンリンク信号はさらに、前記アップリンク信号の構成情報を含み、前記送信機は、前記アップリンク信号を前記アップリンク信号の前記構成情報に応じて前記基地局に送信するように具体的に構成され、前記アップリンク信号の前記構成情報は前記基地局によって送信される、請求項２８に記載の端末。
【請求項３１】
前記少なくとも１つのプロセッサは、前記受信機が前記基地局により前記端末の位置を示す前記ビームに載せて送信される前記第１のシステム情報を受信した後に、前記第１のシステム情報に応じて前記基地局に対して無線リソース制御ＲＲＣ接続設定処理を開始するようにさらに構成され、
前記受信機は、前記ＲＲＣ接続設定処理中にまたは前記ＲＲＣ接続設定処理の後で、前記基地局により前記端末の位置を示す前記ビームに載せて送信される第２のシステム情報を受信するようにさらに構成され、前記第２のシステム情報は前記セル内で通信を実行するために前記端末によって使用される、請求項２８〜３０のいずれかに記載の端末。
【請求項３２】
前記受信機が、前記ＲＲＣ接続設定処理中にまたは前記ＲＲＣ接続設定処理の後で前記端末によって、前記基地局により前記端末の位置を示す前記ビームに載せて送信される第２のシステム情報を受信することは、以下の場合のうちの一方を、すなわち、
前記基地局がＲＲＣ接続設定メッセージを送信後に、前記受信機が前記基地局により送信される前記第２のシステム情報を受信する場合と、
前記基地局が前記端末により送信されるＲＲＣ接続設定完了メッセージを受信後に、前記受信機が前記基地局により送信される前記第２のシステム情報を受信する場合のうちの一方を含む、請求項３１に記載の端末。
【請求項３３】
前記第１のシステム情報は、ブロードキャストチャネル構成情報、オペレータ情報、および追跡エリア情報のうちの１つを含む、請求項２８〜３０のいずれかに記載の端末。
【請求項３４】
前記第１のシステム情報はさらに、ページングチャネル構成情報を含み、前記ページングチャネル構成情報はページングウィンドウを計算するために前記端末によって使用され、前記少なくとも１つのプロセッサは、前記ページングチャネル構成情報に応じて前記ページングウィンドウを計算するようにさらに構成される、請求項３３に記載の端末。
【請求項３５】
請求項１８〜２１のいずれかに記載の前記基地局と、請求項２６〜３０のいずれかに記載の前記端末と
を含む通信システム。
【発明の詳細な説明】
【技術分野】
【０００１】
本発明は、通信技術に関し、特に、システム情報を送信するための方法、基地局、端末、およびシステムに関する。
【背景技術】
【０００２】
パケットサービスおよびインテリジェント端末の急速な発展に伴い、高速大容量データサービスはスペクトルの需要が高まっている。低周波数帯域は、通常、３ＧＨｚ未満の範囲のスペクトルである。センチメートル波周波数帯は、通常、３ＧＨｚ〜３０ＧＨｚの範囲のスペクトルである。ミリメートル波周波数帯域は、通常、３０ＧＨｚ〜３００ＧＨｚの範囲のスペクトルである。従来のセルラ通信では、通常、約２ＧＨｚ以下の周波数帯域が用いられる。従来のセルラ通信では、通常、システム情報などのセルの共通信号がオムニ伝送によって送信され、基地局の消費電力が比較的大きくなる。
【発明の概要】
【０００３】
本発明の実施形態は、基地局がセルラ通信でシステム情報を送信するときに消費電力が比較的大きいという問題を解決するために、システム情報を送信する方法、基地局、端末、およびシステムを提供する。
【０００４】
一態様によると、本発明の実施形態は、システム情報を受信するための方法を提供する。本方法は、端末によって、アップリンク信号を送信するステップであり、アップリンク信号は基地局をトリガして第１のシステム情報を送信させるために使用され、第１のシステム情報はセルにキャンプオンするために端末によって使用されるステップと、これに対応して、基地局によって、端末により送信されるアップリンク信号を受信するステップと、基地局によって、第１のシステム情報を端末の位置を示すビームに載せて送信するステップと、これに対応して、端末によって、基地局により端末の位置を示すビームに載せて送信される第１のシステム情報を受信するステップとを含む。
【０００５】
可能な設計において、端末により送信されるアップリンク信号を受信する前に、基地局はさらに、セルにおいて、少なくとも１つのビームを用いてダウンリンク信号を送信し、ダウンリンク信号はダウンリンクディスカバリリファレンス信号ＤＲＳを含み、ダウンリンクＤＲＳはセルを発見するために端末によって使用され、これに対応して、アップリンク信号を送信する前に、端末はさらに、少なくとも１つのビームを用いてセル中の基地局により送信されるダウンリンク信号を受信する。このような方法により、端末は、ダウンリンク信号に応じて、端末の現在位置がセルによりカバーされるか否かを判定し得、端末の現在位置を示すビームについての情報を取得し得る。
【０００６】
可能な設計において、アップリンク信号を送信する前に、端末はさらに、ダウンリンクＤＲＳに応じて、セルがキャンピングに適していることを事前に判定する。これにより、端末は、意図的にアップリンク信号を、端末がキャンプオンする可能性がある基地局に送信し得る。
【０００７】
可能な設計において、端末は、アップリンク信号の構成情報に応じてアップリンク信号を基地局に送信し、これに対応して、基地局は、アップリンク信号の構成情報に応じて端末によって送信されるアップリンク信号を受信する。アップリンク信号の構成情報は、予め設定されていてもよいし、基地局から送信されるダウンリンク信号に含まれてもよい。アップリンク信号の構成情報が予め設定されている場合、基地局のダウンリンクシグナリングオーバーヘッドは減少され得る。アップリンク信号の構成情報が基地局によって送信される場合、端末は、アップリンク信号をより柔軟に送信し得る。
【０００８】
可能な設計において、端末の位置を示すビームに載せて基地局によって送信された第１のシステム情報を受信した後に、端末は、第１のシステム情報に応じて基地局に無線リソース制御ＲＲＣ接続設定処理をさらに送信し、基地局はさらに、ＲＲＣ接続設定処理において、またはＲＲＣ接続設定処理後に、端末の位置を示すビームに載せて第２のシステム情報を送信し、第２のシステム情報はセル内で通信を実行するために端末によって使用され、これに対応して、端末は、ＲＲＣ接続設定処理において、またはＲＲＣ接続設定処理後に、基地局によって端末の位置を示すビームに載せて送信される第２のシステム情報を受信する。したがって、基地局は、第２のシステム情報をＲＲＣ接続モードの端末にのみ送信すればよい。これが、システムのオーバーヘッドを削減する。
【０００９】
可能な設計において、ＲＲＣ接続設定メッセージを送信した後に、基地局は、第２のシステム情報を端末の位置を示すビームに載せて送信するか、または端末によって送信されたＲＲＣ接続設定完了メッセージを受信した後で、基地局は、第２のシステム情報を端末の位置を示すビームに載せて送信し、これに対応して、端末は、基地局がＲＲＣ接続設定メッセージを送信した後に基地局によって送信される第２のシステム情報を受信するか、または基地局が端末によって送信された接続設定完了メッセージを受信した後に基地局によって送信される第２のシステム情報を受信する。したがって、基地局は、実際の状況に応じて適切な時機に第２のシステム情報を端末に送信し得る。
【００１０】
可能な設計において、第１のシステム情報は、ブロードキャストチャネル構成情報、オペレータ情報、および追跡エリア情報のうちの少なくとも１つを含む。さらに、第１のシステム情報は、ページングチャネル構成情報を含んでもよく、ページングチャネル構成情報は、ページングウィンドウを計算するために端末によって使用される。例えば、端末は、ページングチャネル構成情報に従ってページングウィンドウを計算し、ページングウィンドウ内でページングメッセージを受信し得る。このように、基地局がビーム方式でシステム情報を送信する場合、端末はページングメッセージを見逃さない。
【００１１】
別の態様によれば、本発明の実施形態は、システム情報を送信するための別の方法を提供する。本方法は、端末によってアップリンク信号を送信するステップであって、アップリンク信号は、基地局をトリガして第１のシステム情報および第２のシステム情報を送信させるために使用される、ステップと、これに対応して、基地局によって端末により送信されたアップリンク信号を受信し、基地局によって第１のシステム情報および第２のシステム情報を端末の位置を示すビームに載せて送信するステップと、これに対応して、端末の位置を示すビームに載せて基地局によって送信される第１のシステム情報および第２のシステム情報を端末によって受信するステップとを含む。このような方法により、端末は、第１のシステム情報と第２のシステム情報を受信した後に、セル内で迅速に通信サービスを確立し得る。
【００１２】
さらに別の態様によれば、本発明の実施形態は、基地局を提供する。基地局は、前述の方法設計において基地局の動作を実現する機能を有する。これらの機能は、ハードウェアにより実現されてもよいし、対応するソフトウェアを実行するハードウェアによって実現されてもよい。ハードウェアまたはソフトウェアは、前述の機能に対応する１つまたは複数のモジュールを含む。
【００１３】
可能な設計において、基地局の構造は、プロセッサおよび送信機を含む。プロセッサは、前述の方法において対応する機能を実行する際に基地局をサポートするように構成される。送信機は、基地局と端末との間の通信をサポートし、端末に、前述の方法に含まれる情報または命令を送信するように構成される。基地局はさらに、メモリを含み得る。メモリは、プロセッサと結合されるように構成され、基地局に必要なプログラム命令およびデータを格納する。
【００１４】
さらに別の態様によれば、本発明の実施形態は、端末を提供する。端末は、前述の方法設計において端末の動作を実現する機能を有する。これらの機能は、ハードウェアにより実現されてもよいし、対応するソフトウェアを実行するハードウェアによって実現されてもよい。ハードウェアまたはソフトウェアは、前述の機能に対応する１つまたは複数のモジュールを含む。モジュールは、ソフトウェアおよび／またはハードウェアであってもよい。
【００１５】
可能な設計において、端末の構造は、受信機とプロセッサとを含む。受信機は、前述の基地局によって送信された第１のシステム情報および／または第２のシステム情報を受信する際に端末をサポートするように構成される。プロセッサは、受信機によって受信されるダウンリンクＤＲＳに応じて、セルがキャンピングに適していることを事前に判定する、または受信機によって受信される第１のシステム情報に応じてＲＲＣ接続設定処理を開始する、またはページングウィンドウを計算するように端末を制御する。
【００１６】
さらに別の態様によれば、本発明の実施形態は、通信システムを提供する。本システムは、前述の態様で説明した基地局および端末を含む。
【００１７】
さらに別の態様によれば、本発明の実施形態は、前述の基地局によって使用されるコンピュータソフトウェア命令を格納するように構成されたコンピュータ記録媒体を提供する。コンピュータソフトウェア命令は、前述の態様を実行するように設計されたプログラムを含む。
【００１８】
さらに別の態様によれば、本発明の実施形態は、前述の端末によって使用されるコンピュータソフトウェア命令を格納するように構成されたコンピュータ記録媒体を提供する。コンピュータソフトウェア命令は、前述の態様を実行するように設計されたプログラムを含む。
【００１９】
従来技術と比較して、本発明で提供される解決策では、システム情報がオンデマンドで送信されることができるので、基地局の電力消費およびシステムオーバヘッドが低減されることができる。
【図面の簡単な説明】
【００２０】
本発明の実施形態における技術的解決策をより明確に説明するために、以下、本発明の実施形態を説明する上で必要な添付図面を簡単に説明する。以下の説明における添付図面は、本発明のいくつかの実施形態を示しており、当業者は創造的な努力をすることなく、これらの添付図面から他の図面を導出することができる。
【図１】図１は、本発明に係る可能なシステムネットワークの概略図である。
【図２】図２は、本発明の実施形態に係るシステム情報を送信する概略的なフローチャートである。
【図３Ａ】図３Ａは、本発明の実施形態に係る第１のシステム情報を送信する概略的な通信図である。
【図３Ｂ】図３Ｂは、本発明の実施形態に係る基地局によって第１のシステム情報を送信する概略図である。
【図４】図４は、本発明の実施形態に係る第２のシステム情報を送信する概略的な通信図である。
【図５】図５は、本発明の実施形態に係るページング方法の概略的な通信図である。
【図６】図６は、本発明の実施形態に係るシステム情報を送信するための別の概略的な通信図である。
【図７】図７は、本発明の実施形態に係る基地局の概略構成図である。
【図８】図８は、本発明の実施形態に係る端末の概略構成図である。
【発明を実施するための形態】
【００２１】
本発明の実施形態の目的、技術的解決策、および利点をより明確にするために、以下、本発明の実施形態における技術的解決策を、発明の実施形態において添付図面を参照して明瞭かつ完全に説明する。明らかに、説明される実施形態は、本発明の実施形態のいくつかであり、すべてではない。当業者によって、創作的な努力をすることなく本発明の実施形態に基づいて得られるすべての他の実施形態は、本発明の保護範囲に包含されるものとする。
【００２２】
本発明の実施形態で説明するネットワークアーキテクチャおよびサービスシナリオは、本発明の実施形態における技術的な解決策を説明することを意図し、本発明の実施形態において提供される技術的な解決策を限定するものではない。当業者は、ネットワークアーキテクチャの進化および新たなサービスシナリオの出現により、本発明の実施形態において提供される技術的な解決策もまた同様の技術課題に適用可能であることを理解し得る。
【００２３】
図１に示すように、基地局は、セル内において、信号を端末にビームを形成する方式で送信する。本発明の実施形態において、ビーム形成方式は、通常アナログ回路または高周波回路を使用して実装されるビーム切り替え方式であってもよく、または通常デジタル回路を使用して実装される適応型ビーム方式であってもよい。さらに、ビームは水平ビームであっても垂直ビームであってもよい。本発明の実施形態で説明された技術的解決策は、ロングタームエボリューション（Ｌｏｎｇ  Ｔｅｒｍ  Ｅｖｏｌｕｔｉｏｎ、略してＬＴＥ）システム、または様々な無線アクセス技術を使用する他の無線通信システム、例えば、符号分割多元接続、周波数分割多元接続、時分割多元接続、直交周波数分割多元接続、単一搬送波周波数分割多元接続、および他のアクセス技術を使用するシステムに適用し得る。加えて、技術的解決策は、ＬＴＥシステムの次の進化型システム、例えば、第５世代（Ｔｈｅ  ５ｔｈ  Ｇｅｎｅｒａｔｉｏｎ、略して５Ｇ）システムにも適用し得る。
【００２４】
本発明の実施形態に含まれる基地局は、無線アクセスネットワークに配備され、端末のための無線通信機能を提供するように構成された装置である。異なる無線アクセス技術を使用するシステムでは、基地局の名前が異なる場合がある。例えば、ＬＴＥシステムでは、基地局は進化型ＮｏｄｅＢ（進化したＮｏｄｅＢ、略してｅＮＢまたはｅＮｏｄｅＢ）であってもよい。第３世代（Ｔｈｅ  ３ｒｄ  Ｇｅｎｅｒａｔｉｏｎ、略して３Ｇ）システムでは、基地局はＮｏｄｅＢ（ＮｏｄｅＢ）であってもよい。第２世代（Ｔｈｅ  ２ｎｄ  Ｇｅｎｅｒａｔｉｏｎ、略して２Ｇ）システムでは、基地局は基地トランシーバ局（Ｂａｓｅ  Ｔｒａｎｓｃｅｉｖｅｒ  Ｓｔａｔｉｏｎ、略してＢＴＳ）であってもよい。本発明の実施形態における基地局は、既存の通信システム内の基地局を含み、可能性のある将来の通信システム内の基地局も含むことを理解されたい。これは、本発明の実施形態において限定されない。
【００２５】
本発明の実施形態に含まれる端末は、無線端末であってもよく、無線端末は、ユーザに音声またはデータ接続性を提供するデバイス、無線接続機能を有するハンドヘルドデバイス、またはワイヤレスモデムに接続された他の処理デバイスであってもよい。無線端末は、無線アクセスネットワーク（例えば、Ｒａｄｉｏ  Ａｃｃｅｓｓ  Ｎｅｔｗｏｒｋ、略してＲＡＮ）を使用することによって、１つまたは複数のコアネットワークと通信し得る。無線端末は、移動電話（または「セルラ」電話と呼ばれる）または移動端末を備えたコンピュータなどの移動端末であってもよい。例えば、無線端末は、携帯型、ポケットサイズ、ハンドヘルド型、コンピュータ内蔵型、または車載移動装置であってもよく、無線アクセスネットワークと音声またはデータを交換する。例えば、無線端末は、パーソナル通信サービス（Ｐｅｒｓｏｎａｌ  Ｃｏｍｍｕｎｉｃａｔｉｏｎ  Ｓｅｒｖｉｃｅ、略してＰＣＳ）電話、コードレス電話機、セッション開始プロトコル（Ｓｅｓｓｉｏｎ  Ｉｎｉｔｉａｔｉｏｎ  Ｐｒｏｔｏｃｏｌ、略してＳＩＰ）電話、無線ローカルループ（Ｗｉｒｅｌｅｓｓ  Ｌｏｃａｌ  Ｌｏｏｐ、略してＷＬＬ）ステーション、または携帯情報端末（Ｐｅｒｓｏｎａ  Ｄｉｇｉｔａｌ  Ａｓｓｉｓｔａｎｔ、略してＰＤＡ）であってもよい。無線端末はまた、システム、加入者ユニット（Ｓｕｂｓｃｒｉｂｅｒ  Ｕｎｉｔ）、加入者ステーション（Ｓｕｂｓｃｒｉｂｅｒ  Ｓｔａｔｉｏｎ）、移動局（Ｍｏｂｉｌｅ  Ｓｔａｔｉｏｎ）、モバイルコンソール（Ｍｏｂｉｌｅ）、遠隔局（Ｒｅｍｏｔｅ  Ｓｔａｔｉｏｎ）、アクセスポイント（Ａｃｃｅｓｓ  Ｐｏｉｎｔ、略してＡＰ）、遠隔端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザデバイス（Ｕｓｅｒ  Ｄｅｖｉｃｅ）、またはユーザ機器（Ｕｓｅｒ  Ｅｑｕｉｐｍｅｎｔ）と称してもよい。
【００２６】
本発明の実施形態で提供される技術的解決策は、セルラ通信システムにおける低周波数セルが独立したセルとして動作するシナリオに適用されてもよい。従来のオムニ伝送方式でシステム情報を送信する方式に比べて、本発明の実施形態で提供される解決策では、システム情報がビームを用いてセル内で送信され、システムのオーバーヘッドが大幅に低減される。本発明の実施形態で提供される技術的解決策は、セルラ通信システムにおける高周波セルが独立したセルとして動作するシナリオにも適用され得る。システム情報を送信するために高周波数セルでオムニ伝送方式が依然として使用されている場合、基地局の電力消費は比較的大きいだけでなく、伝送範囲も非常に限られている。本発明の実施形態で提供される解決策では、システムオーバヘッドが低減される一方で、セルのカバレージエリアおよび容量が保証される。本発明の実施形態で提供される技術的解決策は、セルラ通信における高周波セルと低周波数セルの共同ネットワーキングのシナリオにも適用できることが理解されよう。
【００２７】
以下、本発明の実施形態に含まれる上記の共通の特徴に基づいて、本発明の実施形態をさらに詳細に説明する。
【００２８】
本発明の実施形態は、システム情報を送信するための方法、およびこの方法に基づく基地局、端末、およびシステムを提供する。端末はアップリンク信号を送信し、アップリンク信号は基地局をトリガして第１のシステム情報を送信させるために使用され、第１のシステム情報は端末がセルにキャンプオンするために使用される。アップリンク信号を受信した後、基地局は、第１のシステム情報を端末の位置を示すビームに載せて送信する。これに対応して、端末は、基地局によって端末の位置を示すビームに載せて送信された第１のシステム情報を受信する。第1のシステム情報を受信した後、端末は、第１のシステム情報に従って基地局への無線リソース制御（Ｒａｄｉｏ  Ｒｅｓｏｕｒｃｅ  Ｃｏｎｔｒｏｌ、略してＲＲＣ）接続設定処理をさらに開始し得る。基地局はさらに、ＲＲＣ接続設定処理においてまたはＲＲＣ接続設定処理後に、第２のシステム情報を端末の位置を示すビームに載せて送信し、第２のシステム情報は、セル内で通信を行うために端末によって使用される。これに対応して、端末は、基地局によって端末の位置を示すビームに載せて送信された第２のシステム情報を受信する。端末がＲＲＣアイドルモードの端末である場合、基地局は、端末の位置を示す第１のシステム情報をビームに載せて送信すればよく、端末がＲＲＣ接続モードの端末である場合、基地局は、第２のシステム情報を端末の位置を示すビームに載せて送信すればよい。
【００２９】
以下では、説明の便宜上、第１のシステム情報および第２のシステム情報は、ＬＴＥシステムを例として使用して説明される。ＬＴＥシステムでは、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、略して３ＧＰＰ）は、ＴＳ３６．３３１プロトコルに従ってシステム情報のための一連の規定を定めている。本発明の本実施形態の解決策では、既存のシステム情報が第１のシステム情報と第２のシステム情報とに分割される。将来の新しい通信システムでは、新しいシステム情報が導入されるか、既存のシステム情報が統合または再分類され、新しいシステム情報または再分類されたシステム情報が本発明の実施形態で説明される第１のシステム情報または第２のシステム情報にその機能に従って追加され得ることが理解できよう。本発明の実施形態で説明される第１のシステム情報または第２のシステム情報は、以下に示す既存のシステム情報に限定されない。以下、第１のシステム情報と第２のシステム情報について説明する。
【００３０】
第１のシステム情報は、端末がセルにキャンプオンするために使用される。一例では、第１のシステム情報は、以下の情報のうちの少なくとも１つ、すなわち、ブロードキャストチャネル（Ｂｒｏａｄｃａｓｔ  Ｃｈａｎｎｅｌ、略してＢＣＨ）構成情報、オペレータ情報、および追跡エリア情報のうちの少なくとも１つを含む。ブロードキャストチャネル構成情報は、以下の情報のうちの少なくとも１つ、すなわち、ダウンリンク帯域幅情報、システムフレーム番号（Ｓｙｓｔｅｍ  Ｆｒａｍｅ  Ｎｕｍｂｅｒ、略してＳＦＮ）、物理ハイブリッド自動再送要求指示チャネル（Ｐｈｙｓｉｃａｌ  Ｈｙｂｒｉｄ  Ａｕｔｏｍａｔｉｃ  Ｒｅｔｒａｎｓｍｉｓｓｉｏｎ  Ｒｅｑｕｅｓｔ  Ｉｎｄｉｃａｔｉｏｎ  Ｃｈａｎｎｅｌ、略してＰＨＩＣＨ）構成情報のうちの少なくとも１つを含む。オペレータ情報は、地上波公共移動通信ネットワーク（Ｐｕｂｌｉｃ  Ｌａｎｄ  Ｍｏｂｉｌｅ  Ｎｅｔｗｏｒｋ、略してＰＬＭＮ）リスト情報であってもよい。追跡エリア情報は、追跡エリアコード（Ｔｒａｃｋｉｎｇ  Ａｒｅａ  Ｃｏｄｅ、略してＴＡＣ）であってもよい。
【００３１】
一例では、第１のシステム情報は、システム情報ブロック（Ｓｙｓｔｅｍ  Ｉｎｆｏｒｍａｔｉｏｎ  Ｂｌｏｃｋ、略してＳＩＢ）１〜ＳＩＢ５に含まれる情報の少なくとも１つをさらに含む。ＳＩＢ１は、端末がセルにアクセスすることを許可するかどうかを評価するための情報と、他のシステム情報のスケジューリング情報とを含む。ＳＩＢ２は、すべての端末に適用可能な共通の無線リソース構成情報を含む。ＳＩＢ３は、同一周波数内セル再選択、周波数間セル再選択、およびシステム間セル再選択の少なくとも１つに適用可能な共通情報を含む。ＳＩＢ４は、特定の再選択パラメータとセルブラックリスト（ブラックリスト）情報を必要とするセルの情報、すなわち、端末がキャンプまたはアクセスすることができないセルのリスト情報を含む。ＳＩＢ５は、周波数間セル再選択情報、例えば、別の進化型ユニバーサル地上波無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、略してＥ−ＵＴＲＡＮ）の周波数情報、および周波数間隣接セルに関する情報を含む。例えば、第１のシステム情報は、以下の情報のうちの少なくとも１つを含む。
ａ。以下の情報のうちの少なくとも１つ、すなわち、セル選択に必要とされる最小リファレンス信号受信電力（Ｒｅｆｅｒｅｎｃｅ  Ｓｉｇｎａｌ  Ｒｅｃｅｉｖｅｄ  Ｐｏｗｅｒ、略してＲＳＲＰ）、およびセル選択に必要な最小ＲＳＲＰクラスオフセットのうちの少なくとも１つを含むセル選択構成情報。
ｂ。以下の情報のうちの少なくとも１つ、すなわち、再選択閾値、セル再選択優先度、同一周波数内セル再選択構成情報、および周波数間セル再選択構成情報のうちの少なくとも１つを含むセル再選択構成情報であり、同一周波数内セル再選択構成情報は、以下の情報のうちの少なくとも１つ、すなわち、セル再選択に必要な最小ＲＳＲＰクラス、アンテナポート１プレゼンスインジケータ、および隣接セル構成情報のうちの少なくとも１つを含み、隣接セル構成情報は、物理セル識別子、セル間オフセット、および再選択タイマを含み、周波数間セル再選択構成情報は以下の情報のうちの少なくとも１つ、すなわち、搬送波周波数リスト構成情報、ダウンリンク搬送波周波数、セル選択またはセル再選択に必要な最小ＲＳＲＰクラスオフセット、再選択タイマ、下方再選択しきい値、許容測定帯域幅、アンテナポート１プレゼンスインジケータ、および隣接セル構成情報を含み、隣接セル構成情報が物理セル識別子およびセル間オフセットを含むセル再選択構成情報。
ｃ。以下の情報のうちの少なくとも１つ、すなわち、時分割二重構成、システム値タグ、アクセス区分禁止情報（例えば、セル禁止インジケータ）、周波数または周波数帯インジケータ情報、ブロードキャスト制御チャネル（Ｂｒｏａｄｃａｓｔ  Ｃｏｎｔｒｏｌ  Ｃｈａｎｎｅｌ、略してＢＣＣＨ）構成情報と、セル識別子（Ｃｅｌｌ  Ｉｄｅｎｔｉｔｙ、略してＣＩ）とを含むセル再選択構成情報。
ｄ。以下の情報のうちの少なくとも１つ、すなわち、物理ランダムアクセスチャネル（Ｐｈｙｓｉｃａｌ  Ｒａｎｄｏｍ  Ａｃｃｅｓｓ  Ｃｈａｎｎｅｌ、略してＰＲＡＣＨ）構成情報、およびランダムアクセスチャネル（Ｒａｎｄｏｍ  Ａｃｃｅｓｓ  Ｃｈａｎｎｅｌ、略してＲＡＣＨ）の共通構成情報の少なくとも１つを含むランダムアクセス構成情報であり、物理ランダムアクセスチャネル構成情報は、以下の情報のうちの少なくとも１つ、すなわち、ルートシーケンスインデックスおよび物理ランダムアクセスチャネル構成インデックスのうちの少なくとも１つの情報を含み、ランダムアクセスチャネル共通構成情報はプリアンブル情報を含むセル再選択構成情報。
ｅ。以下の情報のうちの少なくとも１つ、すなわち、ページングレコードリスト、システム情報変更、ＵＥアイデンティティ（ＵＥ  Ｉｄｅｎｔｉｔｙ、例えば、Ｓ−ＴＭＳＩ（Ｓｙｓｔｅｍ  Ａｒｃｈｉｔｅｃｔｕｒｅ  Ｅｖｏｌｕｔｉｏｎ  Ｔｅｍｐｏｒａｒｙ  Ｍｏｂｉｌｅ  Ｓｕｂｓｃｒｉｂｅｒ  Ｉｄｅｎｔｉｔｙ）またはＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ））、およびコアネットワークドメイン（ｃｏｒｅ  ｎｅｔｗｏｒｋ−ｄｏｍａｉｎ、例えば、回路ドメインまたはパケットドメイン）情報のうちの少なくとも１つを含むページングチャネル（Ｐａｇｉｎｇ  Ｃｈａｎｎｅｌ、略してＰＣＨ）。
ｆ。物理チャネル構成情報である、物理ダウンリンク共有チャネル（Ｐｈｙｓｉｃａｌ  Ｄｏｗｎｌｉｎｋ  Ｓｈａｒｅｄ  Ｃｈａｎｎｅｌ、略してＰＤＳＣＨ）共通構成情報、物理アップリンク共有チャネル（Ｐｈｙｓｉｃａｌ  Ｕｐｌｉｎｋ  Ｓｈａｒｅｄ  Ｃｈａｎｎｅｌ、略してＰＵＳＣＨ）共通構成情報、物理アップリンク制御チャネル（Ｐｈｙｓｉｃａｌ  Ｕｐｌｉｎｋ  Ｃｏｎｔｒｏｌ  Ｃｈａｎｎｅｌ、略してＰＵＣＣＨ）共通構成情報、アップリンク電力制御（Ｕｐｌｉｎｋ  Ｐｏｗｅｒ  Ｃｏｎｔｒｏｌ、略してＵＰＣ）、およびアップリンクサイクリックプレフィックス長。
【００３２】
一例では、第１のシステム情報が上記「ａ〜ｆ」に列挙された情報の一部のみを含む場合には、「ａ〜ｆ」に列挙された情報の優先度がａからｆにソートされ、システム情報は優先的に優先度の高い情報を含む。もちろん、情報の優先順位は別の方式に従ってソートされてもよい。本発明の本実施形態は、「ａからｆ」に列挙された情報の優先順位を限定するものではない。
【００３３】
第２のシステム情報は、セル内で通信を行うために端末によって使用される。第２のシステム情報には、第１のシステム情報以外の全てのシステム情報、例えば、ＳＩＢ６〜ＳＩＢ１９の情報が含まれる。ＳＩＢ６〜ＳＩＢ８は、システム間セル再選択に関する情報を含む。ＳＩＢ９は、ホーム基地局の名前情報を含む。ＳＩＢ１０は、地震津波警報システム（Ｅａｒｔｈｑｕａｋｅ  ａｎｄ  Ｔｓｕｎａｍｉ  Ｗａｒｎｉｎｇ  Ｓｙｓｔｅｍ、略してＥＴＷＳ）のプライマリ通知情報を含む。ＳＩＢ１１は、ＥＴＷＳのセカンダリ通知情報を含む。ＳＩＢ１２は、商用モバイルアラートシステム（Ｃｏｍｍｅｒｃｉａｌ  Ｍｏｂｉｌｅ  Ａｌｅｒｔ  Ｓｙｓｔｅｍ、略してＣＭＡＳ）の通知情報を含む。ＳＩＢ１３は、マルチメディアブロードキャストマルチキャストシステム（Ｍｕｌｔｉｍｅｄｉａ  Ｂｒｏａｄｃａｓｔ  Ｍｕｌｔｉｃａｓｔ  Ｓｙｓｔｅｍ、略してＭＢＭＳ）を含む。ＳＩＢ１４は、拡張アクセス禁止（Ｅｘｔｅｎｄｅｄ  Ａｃｃｅｓｓ  Ｂａｒｒｉｎｇ、略してＥＡＢ）パラメータを含む。ＳＩＢ１５は、ＭＢＭＳサービスエリア識別子（Ｓｅｒｖｉｃｅ  Ａｒｅａ  Ｉｄｅｎｔｉｆｉｅｒ、略してＳＡＩ）および／または隣接セルキャリア周波数を含む。ＳＩＢ１６は、全地球測位システム（Ｇｌｏｂａｌ  Ｐｏｓｉｔｉｏｎｉｎｇ  Ｓｙｓｔｅｍ、略してＧＰＳ）を含む。ＳＩＢ１７は、Ｅ−ＵＴＲＡＮおよび無線ローカルエリアネットワーク（Ｗｉｒｅｌｅｓｓ  Ｌｏｃａｌ  Ａｒｅａ  Ｎｅｔｗｏｒｋ、略してＷＬＡＮ）のサービスガイド情報を含む。ＳＩＢ１８は、Ｅ−ＵＴＲＡＮがデバイス対デバイス（Ｄｅｖｉｃｅ  ｔｏ  Ｄｅｖｉｃｅ、略してＤ２Ｄ）通信をサポートする端末処理情報を示す。ＳＩＢ１９は、Ｅ−ＵＴＲＡＮがＤ２Ｄ発見（discovery）をサポートすることに関連するリソース構成情報を含む。
【００３４】
なお、上記「ａ〜ｆ」に列挙した情報のすべてまたは一部が第１のシステム情報に含まれていない場合には、その情報が第２のシステム情報に含まれることになる。
【００３５】
第１のシステム情報および第２のシステム情報に含まれる各種情報の名称については、説明を分かり易くするため、以下のような略称を説明例として用いる。
【００３６】
【表１】
2018532347.tif 000003
【００３７】
従来のセルラ通信では、基地局は、通常、全方向送信方式を使用してセル範囲内のすべてのシステム情報を送信する。これは、基地局の非常に大きな電力消費を引き起こす。本発明の本実施形態で提供される解決策によれば、システム情報はオンデマンド（ｏｎ  ｄｅｍａｎｄ）で送信されることができる。基地局は、第１のシステム情報をＲＲＣアイドル状態にある端末のビームカバレッジエリア内で送信し、第２のシステム情報をＲＲＣ接続モードにある端末のビームカバレッジエリア内で送信すればよい。オンデマンドでシステム情報を送信する解決策は、特に、ＲＲＣアイドルモードまたはＲＲＣ接続モードにある複数の端末が異なるビームカバレッジエリアに位置し、基地局が異なるビームでシステム情報を送信する必要がある場合に、オーバーヘッドを大幅に低減する。
【００３８】
以下、本発明の実施形態で提供される解決策について、図２を参照して説明する。
【００３９】
パート２０１において、端末はアップリンク信号を送信し、アップリンク信号は基地局をトリガして第１のシステム情報を送信させ、第１のシステム情報は端末によって使用されてセルにキャンプオンする。アップリンク信号は、アップリンクディスカバリリファレンス信号（Ｄｉｓｃｏｖｅｒ  Ｒｅｆｅｒｅｎｃｅ  Ｓｉｇｎａｌ、略してＤＲＳ）でもよく、サウンディングリファレンス信号（Ｓｏｕｎｄｉｎｇ  Ｒｅｆｅｒｅｎｃｅ  Ｓｉｇｎａｌ、略してＳＲＳ）でもよく、またはランダムアクセスプリアンブル（ｒａｎｄｏｍ  ａｃｃｅｓｓ  ｐｒｅａｍｂｌｅ）または基地局をトリガして第１のシステム情報を送信させるために特別に使用されるプリセット信号でもよい。
【００４０】
一例では、アップリンク信号を送信する前に、端末は、少なくとも１つのビームを使用してセル内の基地局によって送信されたダウンリンク信号をさらに受信し、ダウンリンク信号はダウンリンクＤＲＳを含み、ダウンリンクＤＲＳはセルを発見するために端末によって使用される。このようにして、端末は、ダウンリンクＤＲＳに従って、端末の現在位置がセルによってカバーされているかどうかを判定し、端末の現在位置を示すビームについての情報を取得し得る。
【００４１】
一例では、アップリンク信号を送信する前に、端末はさらに、ダウンリンクＤＲＳに従ってセルがキャンピングに適していることを事前に判定する。例えば、端末は、ダウンリンクＤＲＳのリファレンス信号強度インジケータ（Ｒｅｆｅｒｅｎｃｅ  Ｓｉｇｎａｌ  Ｓｔｒｅｎｇｔｈ  Ｉｎｄｉｃａｔｉｏｎ、略してＲＳＳＩ）またはダウンリンクＤＲＳのリファレンス信号受信電力（Ｒｅｆｅｒｅｎｃｅ  Ｓｉｇｎａｌ  Ｒｅｃｅｉｖｅｄ  Ｐｏｗｅｒ、略してＲＳＲＰ）に従って事前判定を実行する。このようにして、端末は、端末がキャンプオンする可能性が高い基地局にアップリンク信号を意図的に送信し得る。
【００４２】
一例では、端末は、アップリンク信号の構成情報に従ってアップリンク信号を送信する。アップリンク信号の構成情報は、基地局のダウンリンクシグナリングオーバーヘッドを低減するように事前に設定されてもよく、または端末がアップリンク信号をより柔軟に送信し得るようにアップリンク信号の構成情報は基地局によって送信されるダウンリンク信号に含まれてもよく、またはアップリンク信号の構成情報は別の方式で取得されてもよい。これは、本発明の本実施形態では限定されない。
【００４３】
パート２０２において、基地局は、端末によって送信されたアップリンク信号を受信し、アップリンク信号は、基地局をトリガして第１のシステム情報を送信させるために使用され、第１のシステム情報はセルにキャンプオンするために端末によって使用される。
【００４４】
一例では、端末によって送信されたアップリンク信号を受信する前に、基地局は、セル内で、少なくとも１つのビームを使用してダウンリンク信号をさらに送信し、ダウンリンク信号はダウンリンクＤＲＳを含み、ダウンリンクＤＲＳはセルを発見するために端末によって使用される。
【００４５】
一例では、基地局は、端末によって送信されたアップリンク信号をアップリンク信号の構成情報に従って受信する。
【００４６】
パート２０２において、パート２０１と同様または対応する内容については、パート２０１の詳細な説明を参照されたい。本明細書では詳細は再説明されない。
【００４７】
パート２０３において、基地局は、第１のシステム情報を端末の位置を示すビームに載せて送信する。例えば、基地局は、端末が送信したアップリンク信号を受信した後、第１のシステム情報を端末の位置を示すビームに載せて直ちに送信し得るので、端末は第１のシステム情報を迅速に取得し得、または基地局は、第１のシステム情報を事前に設定された時間周期に従って端末の位置を示すビームに載せて送信し得る。これにより、同じビームカバレッジエリア内で、第１のシステム情報を複数の端末に送信するための基地局のシグナリングオーバヘッドを低減し得る。
【００４８】
パート２０４において、端末は、基地局によって端末の位置を示すビームに載せて送信された第１のシステム情報を受信する。
【００４９】
一例では、端末は、基地局によって端末の位置を示すビームに載せて送信された第１のシステム情報を受信した後、第１のシステム情報に従って基地局に対するＲＲＣ接続設定処理をさらに開始する。例えば、端末は、ランダムアクセスによってＲＲＣ接続設定処理を開始してもよい。
【００５０】
一例では、基地局はさらに、第１のシステム情報を端末の位置を示すビームに載せて送信した後、第１のシステム情報に従って、端末によって開始されたＲＲＣ接続設定処理においてまたはＲＲＣ接続設定処理後に、第２のシステム情報を端末の位置を示すビームに載せて送信し、第２のシステム情報はセル内で通信を実行するために端末によって使用される。例えば、基地局は、端末によって送信されたＲＲＣ接続設定メッセージを受信した後に第２のシステム情報を送信し得、または基地局は、端末によって送信されたＲＲＣ接続設定完了メッセージを受信した後に第２のシステム情報を送信し得、または基地局は、専用のＲＲＣシグナリングを使用することによって、第２のシステム情報を端末に送信し得る。これに対応して、端末は、ＲＲＣ接続設定処理またはＲＲＣ接続設定処理の後に、基地局によって端末の位置を示すビームに載せて送信された第２のシステム情報を受信する。例えば、端末は、基地局がＲＲＣ接続設定メッセージを送信した後に基地局によって送信される第２のシステム情報を受信し得、または端末は、基地局が端末によって送信されたＲＲＣ接続設定完了メッセージを受信した後に基地局によって送信される第２のシステム情報を受信し得、または端末は、専用ＲＲＣシグナリングを使用することによって基地局によって送信される第２のシステム情報を受信し得る。もちろん、基地局は、代わりに、ＲＲＣ接続設定処理の前に、第２のシステム情報を端末の位置を示すビームに載せて送信してもよい。これは、本実施形態では限定されない。したがって、基地局は、実際の状況に応じて適切なタイミングで第２のシステム情報を端末に送信し得る。
【００５１】
一例では、第１のシステム情報は、ブロードキャストチャネル構成情報、オペレータ情報、および追跡エリア情報の少なくとも１つを含む。任意選択で、第１のシステム情報は、ページングチャネル構成情報をさらに含み、ページングチャネル構成情報は、ページングウィンドウを計算するために端末によって使用される。ページングウィンドウは、ページングメッセージを監視するための１つのサブフレームまたは複数のサブフレームの時間長を意味し、複数のサブフレームは連続的または不連続的なものであってもよい。このように、基地局がビーム方式でシステム情報を送信する場合、端末はページングメッセージを見逃さない。
【００５２】
以下、添付の図面を参照して、本発明の実施形態についてさらに説明する。
【００５３】
図３Ａは、本発明の実施形態による第１のシステム情報を送信する概略的な通信図である。
【００５４】
パート３０１において、基地局は、セル内において、少なくとも１つのビームを用いてダウンリンク信号を送信し、ダウンリンク信号はダウンリンクＤＲＳを含み、ダウンリンクＤＲＳはセルを発見するために端末に対して使用される。任意選択で、ダウンリンクＤＲＳは、ダウンリンク同期信号（ｓｙｎｃｈｒｏｎｉｚａｔｉｏｎ  ｓｉｇｎａｌ）を含み、ダウンリンク同期信号は、基地局とのダウンリンク同期を達成するために端末によって使用される。ダウンリンク同期信号は、単一の同期信号であってもよく、またはダウンリンクプライマリ同期信号（Ｐｒｉｍａｒｙ  Ｓｙｎｃｈｒｏｎｉｚａｔｉｏｎ  Ｓｉｇｎａｌ、略してＰＳＳ）およびダウンリンクセカンダリ同期信号（Ｓｅｃｏｎｄａｒｙ  Ｓｙｎｃｈｒｏｎｉｚａｔｉｏｎ  Ｓｉｇｎａｌ、略してＳＳＳ）を含んでもよい。任意選択で、ダウンリンクＤＲＳは、セル固有リファレンス信号（Ｃｅｌｌ−ｓｐｅｃｉｆｉｃ  Ｒｅｆｅｒｅｎｃｅ  Ｓｉｇｎａｌ、略してＣＲＳ）およびチャネル状態情報リファレンス信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ、略してＣＳＩ−ＲＳ）をさらに含んでもよい。
【００５５】
パート３０２において、少なくとも１つのビームを使用してセル内の基地局によって送信されたダウンリンク信号を受信した後、端末は、セルがキャンピングに適していることを事前に判定する。端末は、ダウンリンクＤＲＳに従って、セルがキャンピングに適していることを事前に判定し得る。例えば、端末は、ダウンリンクＤＲＳのリファレンス信号強度インジケータまたはダウンリンクＤＲＳのリファレンス信号受信電力に従って、セルがキャンピングに適していることを事前に判定する。
【００５６】
一例では、ダウンリンク信号は、ＰＬＭＮ情報、セル選択情報、およびセル再選択情報のうちの少なくとも１つをさらに含む。ダウンリンクＤＲＳに従って基地局とのダウンリンク同期を達成した後、端末は、ＰＬＭＮ情報、セル選択情報、およびセル再選択情報のうちの少なくとも１つに従って、セルがキャンピングに適していることを事前に判定する。端末は、異なる基地局によって送信されるダウンリンク信号を受信するように異なる基地局のビームを検出し得ることが理解できる。ダウンリンク信号が、異なる基地局によって送信されるＰＬＭＮ情報、セル選択情報およびセル再選択情報のうちの少なくとも１つを含む場合、端末は、ＰＬＭＮ情報、セル選択情報およびセル再選択情報のうちの少なくとも１つに基づいて予備的な判定を行い、次に、アップリンクＤＲＳを全ての検出された基地局に送信し、全ての基地局によって送信された第１のシステム情報を受信した後に判定を実行しなくても、対応する基地局をトリガして第１のシステム情報を送信させるために、キャンピングに適したセルについてアップリンクＤＲＳを対応する基地局に送信し得、それによって遅延およびオーバーヘッドを低減する。例えば、端末は、基地局をトリガして第１のシステム情報を端末に送信させるために、基地局のアップリンクＤＲＳ構成情報に従ってアップリンクＤＲＳを送信し得る。あるいは、複数の基地局が同じアップリンクＤＲＳ構成情報を使用し、端末によって送信されるアップリンクＤＲＳが、複数の基地局をトリガして、第１のシステム情報を端末の位置を示すビームに載せて送信させてもよい。複数の基地局は、端末が複数の基地局から第１のシステム情報をそれぞれまたは同時に受信し得るように、第１のシステム情報の時間−周波数領域リソースを協調して端末に送信してもよく、端末は、第１のシステム情報に従って、複数の基地局のうちの１つの基地局によって提供されるセルにキャンプオンすることを選択してもよく、または複数のセルに同時にキャンプオンすることさえ実行してもよい。ネットワークは、１つまたは複数のセルを使用して端末にページングメッセージを送信し得る。
【００５７】
パート３０３において、端末は、基地局にアップリンクＤＲＳを送信し、アップリンクＤＲＳは、基地局をトリガして第１のシステム情報を送信させるために使用される。
【００５８】
一例では、アップリンクＤＲＳは、セル固有のアップリンクＤＲＳまたはビーム固有のアップリンクＤＲＳであり、異なる端末は区別されない。したがって、異なる端末は、同一のアップリンクＤＲＳおよび対応するアップリンクリソースを選択し、選択された同一のアップリンクＤＲＳを基地局に送信し得る。
【００５９】
一例では、基地局によって送信されるダウンリンク信号は、アップリンクＤＲＳの構成情報をさらに含む。端末がセルにキャンプオンする場合、端末は、アップリンクＤＲＳの構成情報に従って基地局にアップリンクＤＲＳを送信し、アップリンクＤＲＳの構成情報は基地局によって送信され、または端末は、アップリンクＤＲＳのプリセット構成情報に従って、アップリンクＤＲＳを基地局に送信し得、または端末は、ダウンリンクＤＲＳに従って対応するアップリンクＤＲＳを生成し、アップリンクＤＲＳを基地局に送信し得る。端末が端末の位置を示すビームに載った第１のシステム情報を受信した場合、端末は、アップリンクＤＲＳを送信しなくてもよいことに留意されたい。
【００６０】
一例では、端末は、ビーム識別子をアップリンクＤＲＳにさらに追加し、ビーム識別子は、端末の位置を示すビームを識別するために使用される。
【００６１】
パート３０４において、基地局は、端末によって送信されたアップリンクＤＲＳを受信した後、第１のシステム情報を端末の位置を示すビームに載せて送信し、第１のシステム情報は、セルにキャンプオンするために端末によって使用される。
【００６２】
基地局によって送信されるダウンリンク信号が、ダウンリンク信号に含まれるパートについて、３種類の情報のうち、ＰＬＭＮ情報、セル選択情報、セル再選択情報のうちの少なくとも１つを含む場合、このパートは、基地局によって送信される第１のシステム情報に含まれず、ダウンリンク信号に含まれないパートについては、このパートは、基地局によって送信される第１のシステム情報に含まれる。例えば、ダウンリンク信号がＰＬＭＮ情報を含み、セル選択情報およびセル再選択情報を含まない場合、第１のシステム情報は本明細書では、セル選択情報およびセル再選択情報を含み、またはダウンリンク信号がＰＬＭＮ情報およびセル選択情報を含む場合、第１のシステム情報は本明細書では、セル再選択情報を含み、またはダウンリンク信号がＰＬＭＮ情報、セル選択情報およびセル再選択情報を含む場合、第１のシステム情報は、３種類の情報のいずれも含まない。
【００６３】
一例では、基地局は、以下の方法の１つを使用して、端末の位置を示すビームを判定し得る。
【００６４】
第１の方式において、アップリンクＤＲＳがビーム識別子を含む場合、基地局は、ビーム識別子に従って、端末の位置を示すビームを判定する。
【００６５】
第２の方式では、基地局は、端末の位置がダウンリンク方向であることを示すビームを判定するために、チャネル相互関係を使用して、端末によって送信されたアップリンクＤＲＳに対しチャネル推定を実行する。
【００６６】
一例では、基地局は、事前に設定された時間内に少なくとも１つのビームを用いて第１のシステム情報を送信し、事前に設定された回数だけ送信を行う。例えば、図３Ｂに示すように、基地局は、ビームに対して、事前に設定された時間ｔ０〜ｔｓにおいて、事前に設定された送信時機ｔｓ以前に複数の端末（例えば、端末１〜端末ｎ）によって送信されたアップリンクＤＲＳを受信し得る。基地局は、このビームカバレッジエリア内に端末が存在し、端末がキャンプする予定であると判断した後、アップリンクＤＲＳを送信する各端末に対する第１のシステム情報の送信を回避するために、このビームカバレッジエリア内で１回または複数回第１のシステム情報をプリセット送信時機ｔｓで送信し、それによりオーバーヘッドを低減する。
【００６７】
一例では、基地局が、異なるビームカバレッジエリアにある端末によって送信されたアップリンクＤＲＳを受信する場合、基地局が異なるビームを使用して第１のシステム情報を送信する送信時機は、同一でも異なってもよい。送信時機が同じであるということは、基地局が異なるビームカバレッジエリア内において第１のシステム情報を同時に送信することを意味する。送信時機が異なるということは、例えば、ビーム１およびビーム２について、基地局は、送信時機１にビーム１の範囲内において第１のシステム情報を送信し、送信時機２にビーム２の範囲内において第１のシステム情報を送信することを意味する。送信時機１および送信時機２は、同一サブフレームまたは異なるサブフレームの異なるシンボル位置にあってもよい。
【００６８】
これに対応して、端末は、基地局によって端末の位置を示すビームに載せて送信された第１のシステム情報を受信する。アップリンクＤＲＳを送信した後、端末が第１のシステム情報を所定時間内に受信しない場合、端末はアップリンクＤＲＳを基地局に再送する。任意選択で、端末は、アップリンクＤＲＳおよび対応するアップリンクリソースを再選択した後に送信を行う。
【００６９】
基地局は代わりに、端末によって送信されたアップリンクＤＲＳを受信した直後に第１のシステム情報を端末に送信し得る、例えば、専用のＲＲＣシグナリングを使用して第１のシステム情報を端末に送信し得ることに留意されたい。
【００７０】
本発明の本実施形態では、ＲＲＣアイドルモードの端末の場合、パート３０１からパート３０４のステップを実行してもよく、ＲＲＣ接続モードの端末の場合、パート３０１からパート３０４のステップは実行されなくてもよく、またはパート３０４の対応するステップのみが実行されてもよい。すなわち、基地局は、端末の位置を示すビームに載せて第１のシステム情報を送信し、これに対応して、端末は、基地局によって送信される第１のシステム情報を受信する。
【００７１】
一例では、第１のシステム情報が変更された場合、基地局は、変更された第１のシステム情報をセル範囲内のすべてのビームで送信し、それによりセル範囲内のすべての端末が変更された第１のシステム情報を受信できる。第１のシステム情報は、頻繁に変化しないことが理解できる。したがって、オーバーヘッドは小さい。これは、基地局によって、端末の位置を示すビームについての情報を維持するためのオーバーヘッドを回避する。
【００７２】
図４は、本発明の実施形態による第２のシステム情報を送信するための概略的な通信図である。
【００７３】
端末は、第１のシステム情報に従って基地局へのＲＲＣ接続設定処理を開始する。ここで、端末がランダムアクセスを用いてＲＲＣ接続設定処理を開始することは、説明のための一例として用いる。図４におけるパート４０５およびパート４０７は、任意のパートであり、これらパートの１つは、選択して実行し得ることに留意されたい。
【００７４】
パート４０１において、端末は、ランダムアクセスプリアンブルを基地局に送信する。
【００７５】
パート４０２において、基地局は、ランダムアクセス応答メッセージを端末に送信する。
【００７６】
パート４０３において、端末は、ＲＲＣ接続要求メッセージを基地局に送信する。任意選択で、端末は、ＲＲＣ接続要求メッセージにおいて、基地局に第２のシステム情報を端末の位置を示すビームに送信するように要求する。
【００７７】
パート４０４において、基地局は、ＲＲＣ接続設定メッセージを端末に送信する。
【００７８】
パート４０５において、基地局は、第２のシステム情報を端末の位置を示すビームに載せて送信する。基地局による第２のシステム情報の送信の具体的な実装処理は、基地局により第１のシステム情報を端末の位置を示すビームに載せて送信する処理と同様である。パート３０４の詳細な説明を参照し得るので、詳細はここでは説明しない。
【００７９】
パート４０６において、端末は、ＲＲＣ接続設定完了メッセージを基地局に送信する。任意選択で、端末は、ＲＲＣ接続設定完了メッセージにおいて、基地局に第２のシステム情報を端末の位置を示すビームに載せて送信するように要求する。
【００８０】
パート４０７において、基地局は、第２のシステム情報を端末の位置を示すビームに載せて送信する。パート４０７は、パート４０５と同様である。パート４０５の詳細な説明を参照し得るので、詳細は本明細書では再説明されない。
【００８１】
基地局は、ＲＲＣ接続要求またはＲＲＣ接続設定完了メッセージ内にある端末の要求に応じて、第２のシステム情報を端末の位置を示すビームに載せて送信してもよく、または第２のシステム情報を端末の位置を示すビームに載せて直接送信してもよい。すなわち、端末が要求しているか否かにかかわらず、基地局は、第２のシステム情報を端末の位置を示すビームに載せて送信する。
【００８２】
一例では、基地局は、パート４０５およびパート４０７のステップを実行しないが、専用のＲＲＣシグナリングを使用することによって第２のシステム情報を端末に送信する。例えば、基地局は、ＲＲＣ接続設定メッセージに第２のシステム情報を含むＲＲＣシグナリングを追加するか、または端末によって送信されたＲＲＣ接続設定完了メッセージを受信した後、第２のシステム情報を含むＲＲＣシグナリングを端末に送信する。
【００８３】
一例では、第２のシステム情報が変化する場合、基地局は、ＲＲＣ接続モードの端末の位置を示すビームを承知しているので、変更された第２のシステム情報を、ＲＲＣ接続モードにある端末にのみ送信し得、それによってオーバーヘッドを減少する。
【００８４】
第１のシステム情報がページングチャネル構成情報を含む場合、端末は、ページングチャネル構成情報に従ってページングウィンドウをさらに計算し、基地局によって送信されたページングメッセージをページングウィンドウ内で受信することができる。さらに、端末は、ページングメッセージを受信した後にページング時機を判定し得る。図５は、本発明の実施形態によるページング方法の概略フローチャートである。
【００８５】
パート５０１において、端末は、ページングチャネル構成情報に従ってページングウィンドウを計算する。一例では、端末は、ページングウィンドウの開始サブフレームおよび時間長を判定することによってページングウィンドウを計算する。例えば、端末は、ページングチャネル構成情報に従って、予測ページング時機（Ｐａｇｉｎｇ  Ｏｃｃａｓｉｏｎ、略してＰＯ）が属するページングフレームとページングサブフレームを計算し、ページングサブフレームをページングウィンドウの開始サブフレームとして使用し、総時間長をセルのビーム量にビームの切り替え時間を掛けたページングウィンドウの時間長として使用する。
【００８６】
なお、第１のシステム情報が変化しない場合には、第１のシステム情報を受信した後、端末は、第１のシステム情報に含まれるページングチャネル構成情報に従ってページングウィンドウを１回だけ計算する必要がある。端末がページングウィンドウを計算した場合、パート５０１は実行されず、パート５０２が直接実行されてもよい。
【００８７】
パート５０２において、端末は、ページングウィンドウ内でページングメッセージを受信する。
【００８８】
パート５０３において、端末は、ページングメッセージが属するサブフレームを実際のページング時機として使用する。一例では、端末は、端末の位置を示すビームのビーム識別子に従って、ページングメッセージが属するサブフレームを計算し、サブフレームを実際のページング時機として使用する。実際のページング時機を判定した後、端末は、実際のページング時機が属するサブフレーム内でのみページングメッセージを監視し受信する必要がある。したがって、端末によりページングメッセージを監視する時間を短縮することができ、端末の電力消費を低減する。
【００８９】
第１のシステム情報が変化しない場合、端末は実際のページング時機を１回だけ判定する必要があることに留意されたい。端末が実際のページング時機を判定した場合、端末は、実際のページング時機を判定する上述ステップと実際のページング時機を判定する前の上記ステップを実行せず、判定された実際のページング時機でページングメッセージを直接受信し得る。
【００９０】
本発明の本実施形態では、パート５０１とパート５０２のみを実行してもよいし、パート５０１〜５０３を実行してもよい。
【００９１】
本発明の実施形態において提供されるシステム情報を送信する別の方法では、端末はアップリンク信号を送信し、アップリンク信号は基地局をトリガして第１のシステム情報および第２のシステム情報を送信させるために使用され、端末により送信されたアップリンク信号を受信した後、基地局は、第１のシステム情報と第２のシステム情報を端末の位置を示すビームに載せて送信し、これに対応して、端末は、基地局によって端末の位置を示すビームに載せて送信された第１のシステム情報および第２のシステム情報を受信する。本実施形態において、上記実施形態と同一または類似の内容については、上記実施形態の詳細な説明を参照し、詳細は説明されない。図６に示すように、以下、アップリンク信号がＲＲＣ接続設定要求である場合の例を用いて説明する。
【００９２】
パート６０１では、端末は、ＲＲＣ接続設定要求を送信する。ある例では、ＲＲＣ接続設定要求メッセージは、基地局に第１のシステム情報および第２のシステム情報を送信するように要求する要求情報を含む。別の例では、ＲＲＣ接続設定要求メッセージは、基地局をトリガして第１のシステム情報および第２のシステム情報を送信させるために使用される。
【００９３】
パート６０２において、基地局は、端末により送信されたＲＲＣ接続設定要求を受信した後、第１のシステム情報および第２のシステム情報を端末の位置を示すビームに載せて送信する。一例では、基地局は、端末の要求に従って、第１のシステム情報および第２のシステム情報を送信する。別の例では、ＲＲＣ接続設定要求メッセージを受信した後、基地局は、第１のシステム情報および第２のシステム情報を端末の位置を示すビームに載せて瞬時に送信する。これに対応して、端末は、端末によって送信された第１のシステム情報および第２のシステム情報を受信する。このようにして、端末は、第１のシステム情報と第２のシステム情報を受信した後、セル内で迅速に通信サービスを確立し得る。
【００９４】
以上は、ネットワーク要素間の相互作用の観点から、本発明の実施形態において提供される解決策を主に説明したものである。前述の機能を実現するために、端末および基地局などのネットワーク要素は、機能を実行するための対応するハードウェア構造および／またはソフトウェアモジュールを含むことが理解できる。当業者は、本発明において、本明細書で開示された実施形態を参照して説明された例におけるユニットおよびアルゴリズムステップが、ハードウェアまたはハードウェアとコンピュータソフトウェアとの組み合わせによって実施され得ることを容易に理解するはずである。機能がハードウェアによって実行されるか、またはハードウェアを駆動するコンピュータソフトウェアによって実行されるかは、技術的解決策の特定のアプリケーションおよび設計制約条件に依存する。当業者であれば、特定のアプリケーションごとに記載された機能を実施するために異なる方法を使用し得るが、その実施は本発明の範囲を超えていると考えるべきではない。
【００９５】
図７は、上記実施形態に含まれる基地局の概略構成図である。
【００９６】
基地局は、送信機／受信機７０１を含み、コントローラ／プロセッサ７０２、メモリ７０３、通信部７０４をさらに備えていてもよい。送信機／受信機７０１は、上述の実施形態における基地局と端末との間の情報通信および受信をサポートし、また端末と別の端末との間の無線通信をサポートするようにするように構成されてもよい。コントローラ／プロセッサ７０２は、端末と通信するための様々な機能を実行する。アップリンクでは、端末から到来するアップリンク信号は、アンテナによって受信され、受信機７０１によって復調され、端末によって送信されたサービスデータおよびシグナリング情報を復元するためにさらにコントローラ／プロセッサ７０２によって処理される。ダウンリンクでは、サービスデータおよびシグナリングメッセージは、コントローラ／プロセッサ７０２によって処理され、ダウンリンク信号を生成するために送信機７０１によって変調され、ダウンリンク信号は、アンテナによって端末に送信される。コントローラ／プロセッサ７０２はさらに、図２〜６の基地局に関する処理手順および／または本出願で説明される技術に適用される他の手順を実行する。メモリ７０３は、基地局のプログラムコードおよびデータを格納するように構成されている。通信ユニット７０４は、基地局と別のネットワークエンティティとの間の通信をサポートするように構成される。
【００９７】
図７が基地局の単純化された設計のみを示すことが理解できる。実際のアプリケーションにおいて、基地局は、任意の数の送信機、受信機、プロセッサ、コントローラ、メモリ、通信ユニットなどを含み得る。本発明を実施することができるすべての基地局は、本発明の保護範囲に包含される。
【００９８】
図８は、前述の実施形態に含まれる端末の可能な設計構造の簡略化された概略図である。端末は、送信機８０１および受信機８０２を含み、コントローラ／プロセッサ８０３、メモリ８０４、およびモデムプロセッサ８０５をさらに含み得る。
【００９９】
送信機８０１は、出力サンプルを調整し（例えば、デジタルアナログ変換、フィルタリング、増幅、およびアップコンバートし）、アップリンク信号を生成する。上述の実施形態では、アップリンク信号はアンテナによって基地局に送信される。ダウンリンクでは、アンテナは、基地局によって送信されたダウンリンク信号を受信する。受信機８０２は、アンテナから受信する信号を調整し（例えば、フィルタリング、増幅、ダウンコンバート、およびデジタル化し）、入力サンプルを提供する。モデムプロセッサ８０５において、エンコーダ８０６は、アップリンクで送信されるサービスデータおよびシグナリングメッセージを受信し、サービスデータおよびシグナリングメッセージを処理する（例えば、フォーマット、符号化およびインターリーブする）。変調器８０７はさらに、符号化されたサービスデータおよび符号化されたシグナリングメッセージを処理し（例えば、シンボルマッピングおよび変調を実行し）、出力サンプルを提供する。復調器８０９は、入力サンプルを処理し（例えば、復調し）、シンボル推定を行う。デコーダ８０８は、シンボル推定を処理し（例えば、デインタリーブおよび復号し）、端末に送信される復号されたデータおよび復号されたシグナリングメッセージを提供する。エンコーダ８０６、変調器８０７、復調器８０９、およびデコーダ８０８は、複合モデムプロセッサ８０５によって実現されてもよい。これらのユニットは、無線アクセスネットワークによって使用される無線アクセス技術（例えば、ＬＴＥ方式や他の進化したシステムによって使用されるアクセス技術にしたがって処理を実行する。
【０１００】
コントローラ／プロセッサ８０３は、端末の動作を制御および管理し、上述した実施形態では端末によって実行される処理を行うように構成されている。例えば、コントローラ／プロセッサ８０３は、ダウンリンクＤＲＳに従って、セルがキャンピング適していることを事前に判定するように端末を制御するように、および／または本発明に記載の技術の他の手順を制御するように構成される。例えば、コントローラ／プロセッサ８０３は、図３Ａの処理３０２、および図５の処理５０１、５０３を実行する際に端末をサポートするように構成されている。メモリ８０４は、端末のプログラムコードおよびデータを格納するように構成されている。
【０１０１】
本発明における基地局および端末の機能を実現するように構成されるコントローラ／プロセッサは、中央処理装置（ＣＰＵ）、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブルロジックデバイス、トランジスタロジックデバイス、ハードウェアコンポーネント、またはそれらの任意の組み合わせであってもよい。コントローラ／プロセッサは、本発明に開示された内容を参照して説明した様々な例示的な論理ブロック、モジュール、および回路を実装または実行し得る。あるいは、プロセッサは、計算機能を実装する組み合わせ、例えば、１つまたは複数のマイクロプロセッサを含む組み合わせ、またはＤＳＰとマイクロプロセッサとの組み合わせであってもよい。
【０１０２】
本発明で開示される内容を参照して説明された方法またはアルゴリズムのステップは、ハードウェアによって実施されてもよく、またはソフトウェア命令を実行するプロセッサによって実施されてもよい。ソフトウェア命令は、対応するソフトウェアモジュールを含み得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルハードディスク、ＣＤ−ＲＯＭ、または当技術分野で知られている他の形態の記憶媒体に格納されてもよい。例えば、記憶媒体はプロセッサに結合され、プロセッサは記憶媒体から情報を読み取り、または記憶媒体に情報を書き込むことができる。もちろん、記憶媒体はプロセッサの構成要素であってもよい。プロセッサおよび記憶媒体は、ＡＳＩＣ内に配置してもよい。さらに、ＡＳＩＣは端末内に配置されてもよい。もちろん、プロセッサおよび記憶媒体は、個別の構成要素として端末内に存在してもよい。
【０１０３】
当業者であれば、上記の１つまたは複数の例において、本発明で説明される機能は、ハードウェア、ソフトウェア、ファームウェア、またはそれらの任意の組み合わせによって実装され得ることを認識すべきである。本発明がソフトウェアによって実施される場合、前述の機能は、コンピュータ可読媒体に格納されてもよく、またはコンピュータ可読媒体内の１つまたは複数の命令またはコードとして送信されてもよい。コンピュータ可読媒体は、コンピュータ記憶媒体および通信媒体を含み、通信媒体は、コンピュータプログラムがある場所から別の場所に送信されることを可能にする任意の媒体を含む。記憶媒体は、汎用または専用のコンピュータにアクセス可能な任意の利用可能な媒体であってもよい。
【０１０４】
本発明の目的、技術的解決策、および利点は、前述の特定の実施形態においてさらに詳細に記載される。前述の説明は、本発明の特定の実施形態にすぎず、本発明の保護範囲を限定するものではないことを理解されたい。本発明の技術的解決策に基づいてなされた任意の修正、同等の置換、または改良は、本発明の保護範囲に包含されるものとする。
【図１】
2018532347.tif 000004
【図２】
2018532347.tif 000005
【図３Ａ】
2018532347.tif 000006
【図３Ｂ】
2018532347.tif 000007
【図４】
2018532347.tif 000008
【図５】
2018532347.tif 000009
【図６】
2018532347.tif 000010
【図７】
2018532347.tif 000011
【図８】
2018532347.tif 000012
【手続補正書】
【提出日】平成30年6月6日(2018.6.6)
【手続補正１】
【補正対象書類名】特許請求の範囲
【補正対象項目名】全文
【補正方法】変更
【補正の内容】
【特許請求の範囲】
【請求項１】
システム情報を受信するための方法であって、
端末によって、アップリンク信号を送信するステップであり、前記アップリンク信号は基地局をトリガして第１のシステム情報を送信させるために使用され、前記第１のシステム情報はセル再選択構成情報を含み、前記セル再選択構成情報は以下の情報のうちの少なくとも１つ、すなわち、再選択閾値、セル再選択優先度、同一周波数内セル再選択構成情報、および周波数間セル再選択構成情報のうちの少なくとも１つを含む、ステップと、
前記端末によって、前記基地局から前記第１のシステム情報を受信するステップと
を含む方法。
【請求項２】
前記アップリンク信号は、ランダムアクセスプリアンブル、アップリンクディスカバリリファレンス信号（ＤＲＳ）、サウンディングリファレンス信号（ＳＲＳ）、または前記基地局をトリガして前記第１のシステム情報を送信させるために特に使用されるプリセット信号である、請求項１に記載の方法。
【請求項３】
システム情報を送信するための方法であって、
基地局によって、端末からアップリンク信号を受信するステップであり、前記アップリンク信号は前記基地局をトリガして第１のシステム情報を送信させるために使用され、前記第１のシステム情報はセル再選択構成情報を含み、前記セル再選択構成情報は以下の情報のうちの少なくとも１つ、すなわち、再選択閾値、セル再選択優先度、同一周波数内セル再選択構成情報、および周波数間セル再選択構成情報のうちの少なくとも１つを含む、ステップと、
前記基地局によって、前記第１のシステム情報を前記端末の位置を示すビームに載せて送信するステップと
を含む方法。
【請求項４】
前記アップリンク信号は、ランダムアクセスプリアンブル、アップリンクディスカバリリファレンス信号（ＤＲＳ）、サウンディングリファレンス信号（ＳＲＳ）、または前記基地局をトリガして前記第１のシステム情報を送信させるために特に使用されるプリセット信号である、請求項３に記載の方法。
【請求項５】
システム情報を受信するための方法であって、
端末によって、無線リソース制御（ＲＲＣ）接続要求メッセージを基地局に送信するステップであり、前記ＲＲＣ接続要求メッセージは基地局に、第２のシステム情報を前記端末の位置を示すビームに載せて送信するように要求するために使用され、前記第２のシステム情報はセル内で通信を実行するために前記端末によって使用されるステップと
前記端末によって、前記基地局から前記第２のシステム情報を受信するステップと
を含む方法。
【請求項６】
前記第２のシステム情報は、以下の情報のうちの少なくとも１つ、すなわち、セル再選択構成情報、地震および津波警報システム（ＥＴＷＳ）のプライマリ通知情報、ＥＴＷＳのセカンダリ通知情報、商用モバイルアラートシステム（ＣＭＡＳ）の通知情報、およびマルチメディアブロードキャストマルチキャストシステム（ＭＢＭＳ）情報のうちの少なくとも１つを含み、前記セル再選択構成情報は以下の情報のうちの少なくとも１つ、すなわち、再選択閾値、セル再選択優先度、同一周波数内セル再選択構成情報、および周波数間セル再選択構成情報のうちの少なくとも１つを含む、請求項５に記載の方法。
【請求項７】
前記端末によって、前記第２のシステム情報を前記基地局から受信する前記ステップは、
前記端末によって、専用のＲＲＣシグナリングを前記基地局から受信するステップであって、前記専用のＲＲＣシグナリングは前記第２のシステム情報を含む、ステップを含む、請求項５または６に記載の方法。
【請求項８】
前記端末によって、前記第２のシステム情報を前記基地局から受信する前記ステップの前に、前記方法はさらに、
前記端末によって、ＲＲＣ接続設定メッセージを前記基地局から受信するステップと、
前記端末によって、ＲＲＣ接続設定完了メッセージを前記基地局に送信するステップと
を含む、請求項５〜７のいずれかに記載の方法。
【請求項９】
端末によって、無線リソース制御（ＲＲＣ）接続要求メッセージを基地局に送信する前記ステップの前に、前記方法はさらに、
前記端末によって、ランダムアクセスプリアンブルを前記基地局に送信するステップと、
前記端末によって、ランダムアクセス応答メッセージを前記基地局から受信するステップと
を含む、請求項５〜８のいずれかに記載の方法。
【請求項１０】
システム情報を送信するための方法であって、
基地局によって、無線リソース制御（ＲＲＣ）接続要求メッセージを端末から受信するステップであり、前記ＲＲＣ接続要求メッセージは基地局に、第２のシステム情報を前記端末の位置を示すビームに載せて送信するように要求するために使用され、前記第２のシステム情報はセル内で通信を実行するために前記端末によって使用される、ステップと
前記基地局によって、前記第２のシステム情報を前記端末の位置を示す前記ビームに載せて送信するステップと
を含む方法。
【請求項１１】
前記第２のシステム情報は、以下の情報のうちの少なくとも１つ、すなわち、セル再選択構成情報、地震および津波警報システム（ＥＴＷＳ）のプライマリ通知情報、ＥＴＷＳのセカンダリ通知情報、商用モバイルアラートシステム（ＣＭＡＳ）の通知情報、およびマルチメディアブロードキャストマルチキャストシステム（ＭＢＭＳ）情報のうちの少なくとも１つを含み、前記セル再選択構成情報は以下の情報のうちの少なくとも１つ、すなわち、再選択閾値、セル再選択優先度、同一周波数内セル再選択構成情報、および周波数間セル再選択構成情報のうちの少なくとも１つを含む、請求項１０に記載の方法。
【請求項１２】
前記基地局によって、前記第２のシステム情報を前記端末の位置を示す前記ビームに載せて送信する前記ステップは、
前記基地局によって、専用のＲＲＣシグナリングを前記端末に送信するステップであって、前記専用のＲＲＣシグナリングは前記第２のシステム情報を含む、請求項１０または１１に記載の方法。
【請求項１３】
前記基地局によって、前記第２のシステム情報を前記端末の位置を示す前記ビームに載せて送信する前記ステップの前に、前記方法はさらに、
前記基地局によって、ＲＲＣ接続設定メッセージを前記端末に送信するステップと、
前記基地局によって、ＲＲＣ接続設定完了メッセージを前記端末から受信するステップと
を含む、請求項１０〜１２のいずれかに記載の方法。
【請求項１４】
基地局によって、無線リソース制御（ＲＲＣ）接続要求メッセージを端末から受信する前記ステップの前に、前記方法はさらに、
前記基地局によって、ランダムアクセスプリアンブルを前記端末から受信するステップと、
前記基地局によって、ランダムアクセス応答メッセージを前記端末に送信するステップと
を含む、請求項１０〜１３のいずれかに記載の方法。
【請求項１５】
システム情報を受信するための装置であって、
アップリンク信号を送信するように構成される送信機であり、前記アップリンク信号は基地局をトリガして第１のシステム情報を送信させるために使用され、前記第１のシステム情報はセル再選択構成情報を含み、前記セル再選択構成情報は以下の情報のうちの少なくとも１つ、すなわち、再選択閾値、セル再選択優先度、同一周波数内セル再選択構成情報、および周波数間セル再選択構成情報のうちの少なくとも１つを含む送信機と、
前記基地局から前記第１のシステム情報を受信するように構成される受信機と
を含む装置。
【請求項１６】
前記アップリンク信号は、ランダムアクセスプリアンブル、アップリンクディスカバリリファレンス信号（ＤＲＳ）、サウンディングリファレンス信号（ＳＲＳ）、または前記基地局をトリガして前記第１のシステム情報を送信させるために特に使用されるプリセット信号である、請求項１５に記載の装置。
【請求項１７】
システム情報を送信するための装置であって、
端末からアップリンク信号を受信するように構成される受信機であり、前記アップリンク信号は前記装置をトリガして第１のシステム情報を送信させるために使用され、前記第１のシステム情報はセル再選択構成情報を含み、前記セル再選択構成情報は以下の情報のうちの少なくとも１つ、すなわち、再選択閾値、セル再選択優先度、同一周波数内セル再選択構成情報、および周波数間セル再選択構成情報のうちの少なくとも１つを含む受信機と、
前記第１のシステム情報を前記端末の位置を示すビームに載せて送信するように構成される送信機と
を含む装置。
【請求項１８】
前記アップリンク信号は、ランダムアクセスプリアンブル、アップリンクディスカバリリファレンス信号（ＤＲＳ）、サウンディングリファレンス信号（ＳＲＳ）、または前記装置をトリガして前記第１のシステム情報を送信させるために特に使用されるプリセット信号である、請求項１７に記載の装置。
【請求項１９】
システム情報を受信するための装置であって、
無線リソース制御（ＲＲＣ）接続要求メッセージを基地局に送信するように構成される送信機であり、前記ＲＲＣ接続要求メッセージは前記基地局に、第２のシステム情報を前記装置の位置を示すビームに載せて送信するように要求するために使用され、前記第２のシステム情報はセル内で通信を実行するために前記装置によって使用される送信機と
前記基地局から前記第２のシステム情報を受信するように構成される受信機と
を含む装置。
【請求項２０】
前記第２のシステム情報は、以下の情報のうちの少なくとも１つ、すなわち、セル再選択構成情報、地震および津波警報システム（ＥＴＷＳ）のプライマリ通知情報、ＥＴＷＳのセカンダリ通知情報、商用モバイルアラートシステム（ＣＭＡＳ）の通知情報、およびマルチメディアブロードキャストマルチキャストシステム（ＭＢＭＳ）情報のうちの少なくとも１つを含み、前記セル再選択構成情報は以下の情報のうちの少なくとも１つ、すなわち、再選択閾値、セル再選択優先度、同一周波数内セル再選択構成情報、および周波数間セル再選択構成情報のうちの少なくとも１つを含む、請求項１９に記載の装置。
【請求項２１】
前記受信機は、専用のＲＲＣシグナリングを前記基地局から受信するように具体的に構成され、前記専用のＲＲＣシグナリングは前記第２のシステム情報を含む、請求項１９または２０に記載の装置。
【請求項２２】
前記受信機は、前記受信機が前記第２のシステム情報を前記基地局から受信する前に、ＲＲＣ接続設定メッセージを前記基地局から受信するようにさらに構成され、前記送信機は、ＲＲＣ接続設定完了メッセージを前記基地局に送信するようにさらに構成される、請求項１９〜２１のいずれかに記載の装置。
【請求項２３】
前記送信機は、前記送信機が前記無線リソース制御（ＲＲＣ）接続要求メッセージを基地局に送信する前に、ランダムアクセスプリアンブルを前記基地局に送信するように構成され、前記受信機は、ランダムアクセス応答メッセージを前記基地局から受信するように構成される、請求項１９〜２２のいずれかに記載の装置。
【請求項２４】
システム情報を送信するための装置であって、
無線リソース制御（ＲＲＣ）接続要求メッセージを端末から受信するように構成される受信機であり、前記ＲＲＣ接続要求メッセージは前記装置に、第２のシステム情報を前記端末の位置を示すビームに載せて送信するように要求するために使用され、前記第２のシステム情報はセル内で通信を実行するために前記端末によって使用される受信機と
前記第２のシステム情報を前記端末の位置を示す前記ビームに載せて送信するように構成される送信機と
を含む装置。
【請求項２５】
前記第２のシステム情報は、以下の情報のうちの少なくとも１つ、すなわち、セル再選択構成情報、地震および津波警報システム（ＥＴＷＳ）のプライマリ通知情報、ＥＴＷＳのセカンダリ通知情報、商用モバイルアラートシステム（ＣＭＡＳ）の通知情報、およびマルチメディアブロードキャストマルチキャストシステム（ＭＢＭＳ）情報のうちの少なくとも１つを含み、前記セル再選択構成情報は以下の情報のうちの少なくとも１つ、すなわち、再選択閾値、セル再選択優先度、同一周波数内セル再選択構成情報、および周波数間セル再選択構成情報のうちの少なくとも１つを含む、請求項２４に記載の装置。
【請求項２６】
前記送信機は、専用のＲＲＣシグナリングを前記端末に送信するように具体的に構成され、前記専用のＲＲＣシグナリングは前記第２のシステム情報を含む、請求項２４または２５に記載の装置。
【請求項２７】
前記送信機は、前記送信機が前記第２のシステム情報を前記端末の位置を示す前記ビームに載せて送信する前に、ＲＲＣ接続設定メッセージを前記端末に送信するようにさらに構成され、前記受信機は、ＲＲＣ接続設定完了メッセージを前記端末から受信するように構成される、請求項２４〜２６のいずれかに記載の装置。
【請求項２８】
前記受信機は、前記受信機が前記無線リソース制御（ＲＲＣ）接続要求メッセージを端末から受信する前に、ランダムアクセスプリアンブルを前記端末から受信するようにさらに構成され、前記送信機は、ランダムアクセス応答メッセージを前記端末に送信するようにさらに構成される、請求項２４〜２７のいずれかに記載の装置。
【請求項２９】
プログラムを記録したコンピュータ可読記録媒体であって、前記プログラムはコンピュータに請求項１〜１４のいずれかに記載の方法を実行させる、コンピュータ可読記録媒体。
【手続補正２】
【補正対象書類名】明細書
【補正対象項目名】全文
【補正方法】変更
【補正の内容】
【発明の詳細な説明】
【技術分野】
【０００１】
本発明は、通信技術に関し、特に、システム情報を送信するための方法、基地局、端末、およびシステムに関する。
【背景技術】
【０００２】
パケットサービスおよびインテリジェント端末の急速な発展に伴い、高速大容量データサービスはスペクトルの需要が高まっている。低周波数帯域は、通常、３ＧＨｚ未満の範囲のスペクトルである。センチメートル波周波数帯は、通常、３ＧＨｚ〜３０ＧＨｚの範囲のスペクトルである。ミリメートル波周波数帯域は、通常、３０ＧＨｚ〜３００ＧＨｚの範囲のスペクトルである。従来のセルラ通信では、通常、約２ＧＨｚ以下の周波数帯域が用いられる。従来のセルラ通信では、通常、システム情報などのセルの共通信号がオムニ伝送によって送信され、基地局の消費電力が比較的大きくなる。
【発明の概要】
【０００３】
本発明の実施形態は、基地局がセルラ通信でシステム情報を送信するときに消費電力が比較的大きいという問題を解決するために、システム情報を送信する方法、基地局、端末、およびシステムを提供する。
【０００４】
一態様によると、本発明の実施形態は、システム情報を受信するための方法を提供する。本方法は、端末によって、アップリンク信号を送信するステップであり、アップリンク信号は基地局をトリガして第１のシステム情報を送信させるために使用され、第１のシステム情報はセルにキャンプオンするために端末によって使用されるステップと、これに対応して、基地局によって、端末により送信されるアップリンク信号を受信するステップと、基地局によって、第１のシステム情報を端末の位置を示すビームに載せて送信するステップと、これに対応して、端末によって、基地局により端末の位置を示すビームに載せて送信される第１のシステム情報を受信するステップとを含む。
【０００５】
可能な設計において、端末により送信されるアップリンク信号を受信する前に、基地局はさらに、セルにおいて、少なくとも１つのビームを用いてダウンリンク信号を送信し、ダウンリンク信号はダウンリンクディスカバリリファレンス信号（ＤＲＳ）を含み、ダウンリンクＤＲＳはセルを発見するために端末によって使用され、これに対応して、アップリンク信号を送信する前に、端末はさらに、少なくとも１つのビームを用いてセル中の基地局により送信されるダウンリンク信号を受信する。このような方法により、端末は、ダウンリンク信号に応じて、端末の現在位置がセルによりカバーされるか否かを判定し得、端末の現在位置を示すビームについての情報を取得し得る。
【０００６】
可能な設計において、アップリンク信号を送信する前に、端末はさらに、ダウンリンクＤＲＳに応じて、セルがキャンピングに適していることを事前に判定する。これにより、端末は、意図的にアップリンク信号を、端末がキャンプオンする可能性がある基地局に送信し得る。
【０００７】
可能な設計において、端末は、アップリンク信号の構成情報に応じてアップリンク信号を基地局に送信し、これに対応して、基地局は、アップリンク信号の構成情報に応じて端末によって送信されるアップリンク信号を受信する。アップリンク信号の構成情報は、予め設定されていてもよいし、基地局から送信されるダウンリンク信号に含まれてもよい。アップリンク信号の構成情報が予め設定されている場合、基地局のダウンリンクシグナリングオーバーヘッドは減少され得る。アップリンク信号の構成情報が基地局によって送信される場合、端末は、アップリンク信号をより柔軟に送信し得る。
【０００８】
可能な設計において、端末の位置を示すビームに載せて基地局によって送信された第１のシステム情報を受信した後に、端末は、第１のシステム情報に応じて基地局に無線リソース制御（ＲＲＣ）接続設定処理をさらに開始し、基地局はさらに、ＲＲＣ接続設定処理において、またはＲＲＣ接続設定処理後に、端末の位置を示すビームに載せて第２のシステム情報を送信し、第２のシステム情報はセル内で通信を実行するために端末によって使用され、これに対応して、端末は、ＲＲＣ接続設定処理において、またはＲＲＣ接続設定処理後に、基地局によって端末の位置を示すビームに載せて送信される第２のシステム情報を受信する。したがって、基地局は、第２のシステム情報をＲＲＣ接続モードの端末にのみ送信すればよい。これが、システムのオーバーヘッドを削減する。
【０００９】
可能な設計において、ＲＲＣ接続設定メッセージを送信した後に、基地局は、第２のシステム情報を端末の位置を示すビームに載せて送信するか、または端末によって送信されたＲＲＣ接続設定完了メッセージを受信した後で、基地局は、第２のシステム情報を端末の位置を示すビームに載せて送信し、これに対応して、端末は、基地局がＲＲＣ接続設定メッセージを送信した後に基地局によって送信される第２のシステム情報を受信するか、または基地局が端末によって送信された接続設定完了メッセージを受信した後に基地局によって送信される第２のシステム情報を受信する。したがって、基地局は、実際の状況に応じて適切な時機に第２のシステム情報を端末に送信し得る。
【００１０】
可能な設計において、第１のシステム情報は、ブロードキャストチャネル構成情報、オペレータ情報、および追跡エリア情報のうちの少なくとも１つを含む。さらに、第１のシステム情報は、ページングチャネル構成情報を含んでもよく、ページングチャネル構成情報は、ページングウィンドウを計算するために端末によって使用される。例えば、端末は、ページングチャネル構成情報に従ってページングウィンドウを計算し、ページングウィンドウ内でページングメッセージを受信し得る。このように、基地局がビーム方式でシステム情報を送信する場合、端末はページングメッセージを見逃さない。
【００１１】
別の態様によれば、本発明の実施形態は、システム情報を送信するための別の方法を提供する。本方法は、端末によってアップリンク信号を送信するステップであって、アップリンク信号は、基地局をトリガして第１のシステム情報および第２のシステム情報を送信させるために使用される、ステップと、これに対応して、基地局によって端末により送信されたアップリンク信号を受信し、基地局によって第１のシステム情報および第２のシステム情報を端末の位置を示すビームに載せて送信するステップと、これに対応して、端末の位置を示すビームに載せて基地局によって送信される第１のシステム情報および第２のシステム情報を端末によって受信するステップとを含む。このような方法により、端末は、第１のシステム情報と第２のシステム情報を受信した後に、セル内で迅速に通信サービスを確立し得る。
【００１２】
さらに別の態様によれば、本発明の実施形態は、基地局を提供する。基地局は、前述の方法設計において基地局の動作を実現する機能を有する。これらの機能は、ハードウェアにより実現されてもよいし、対応するソフトウェアを実行するハードウェアによって実現されてもよい。ハードウェアまたはソフトウェアは、前述の機能に対応する１つまたは複数のモジュールを含む。
【００１３】
可能な設計において、基地局の構造は、プロセッサおよび送信機を含む。プロセッサは、前述の方法において対応する機能を実行する際に基地局をサポートするように構成される。送信機は、基地局と端末との間の通信をサポートし、端末に、前述の方法に含まれる情報または命令を送信するように構成される。基地局はさらに、メモリを含み得る。メモリは、プロセッサと結合されるように構成され、基地局に必要なプログラム命令およびデータを格納する。
【００１４】
さらに別の態様によれば、本発明の実施形態は、端末を提供する。端末は、前述の方法設計において端末の動作を実現する機能を有する。これらの機能は、ハードウェアにより実現されてもよいし、対応するソフトウェアを実行するハードウェアによって実現されてもよい。ハードウェアまたはソフトウェアは、前述の機能に対応する１つまたは複数のモジュールを含む。モジュールは、ソフトウェアおよび／またはハードウェアであってもよい。
【００１５】
可能な設計において、端末の構造は、受信機とプロセッサとを含む。受信機は、前述の基地局によって送信された第１のシステム情報および／または第２のシステム情報を受信する際に端末をサポートするように構成される。プロセッサは、受信機によって受信されるダウンリンクＤＲＳに応じて、セルがキャンピングに適していることを事前に判定する、または受信機によって受信される第１のシステム情報に応じてＲＲＣ接続設定処理を開始する、またはページングウィンドウを計算するように端末を制御する。
【００１６】
さらに別の態様によれば、本発明の実施形態は、通信システムを提供する。本システムは、前述の態様で説明した基地局および端末を含む。
【００１７】
さらに別の態様によれば、本発明の実施形態は、前述の基地局によって使用されるコンピュータソフトウェア命令を格納するように構成されたコンピュータ記録媒体を提供する。コンピュータソフトウェア命令は、前述の態様を実行するように設計されたプログラムを含む。
【００１８】
さらに別の態様によれば、本発明の実施形態は、前述の端末によって使用されるコンピュータソフトウェア命令を格納するように構成されたコンピュータ記録媒体を提供する。コンピュータソフトウェア命令は、前述の態様を実行するように設計されたプログラムを含む。
【００１９】
従来技術と比較して、本発明で提供される解決策では、システム情報がオンデマンドで送信されることができるので、基地局の電力消費およびシステムオーバヘッドが低減されることができる。
【図面の簡単な説明】
【００２０】
本発明の実施形態における技術的解決策をより明確に説明するために、以下、本発明の実施形態を説明する上で必要な添付図面を簡単に説明する。以下の説明における添付図面は、本発明のいくつかの実施形態を示しており、当業者は創造的な努力をすることなく、これらの添付図面から他の図面を導出することができる。
【図１】図１は、本発明に係る可能なシステムネットワークの概略図である。
【図２】図２は、本発明の実施形態に係るシステム情報を送信する概略的なフローチャートである。
【図３Ａ】図３Ａは、本発明の実施形態に係る第１のシステム情報を送信する概略的な通信図である。
【図３Ｂ】図３Ｂは、本発明の実施形態に係る基地局によって第１のシステム情報を送信する概略図である。
【図４】図４は、本発明の実施形態に係る第２のシステム情報を送信する概略的な通信図である。
【図５】図５は、本発明の実施形態に係るページング方法の概略的な通信図である。
【図６】図６は、本発明の実施形態に係るシステム情報を送信するための別の概略的な通信図である。
【図７】図７は、本発明の実施形態に係る基地局の概略構成図である。
【図８】図８は、本発明の実施形態に係る端末の概略構成図である。
【発明を実施するための形態】
【００２１】
本発明の実施形態の目的、技術的解決策、および利点をより明確にするために、以下、本発明の実施形態における技術的解決策を、発明の実施形態において添付図面を参照して明瞭かつ完全に説明する。明らかに、説明される実施形態は、本発明の実施形態のいくつかであり、すべてではない。当業者によって、創作的な努力をすることなく本発明の実施形態に基づいて得られるすべての他の実施形態は、本発明の保護範囲に包含されるものとする。
【００２２】
本発明の実施形態で説明するネットワークアーキテクチャおよびサービスシナリオは、本発明の実施形態における技術的な解決策を説明することを意図し、本発明の実施形態において提供される技術的な解決策を限定するものではない。当業者は、ネットワークアーキテクチャの進化および新たなサービスシナリオの出現により、本発明の実施形態において提供される技術的な解決策もまた同様の技術課題に適用可能であることを理解し得る。
【００２３】
図１に示すように、基地局は、セル内において、信号を端末にビームを形成する方式で送信する。本発明の実施形態において、ビーム形成方式は、通常アナログ回路または高周波回路を使用して実装されるビーム切り替え方式であってもよく、または通常デジタル回路を使用して実装される適応型ビーム方式であってもよい。さらに、ビームは水平ビームであっても垂直ビームであってもよい。本発明の実施形態で説明された技術的解決策は、ロングタームエボリューション（Ｌｏｎｇ  Ｔｅｒｍ  Ｅｖｏｌｕｔｉｏｎ、ＬＴＥ）システム、または様々な無線アクセス技術を使用する他の無線通信システム、例えば、符号分割多元接続、周波数分割多元接続、時分割多元接続、直交周波数分割多元接続、単一搬送波周波数分割多元接続、および他のアクセス技術を使用するシステムに適用し得る。加えて、技術的解決策は、ＬＴＥシステムの次の進化型システム、例えば、第５世代（５ｔｈ  Ｇｅｎｅｒａｔｉｏｎ、５Ｇ）システムにも適用し得る。
【００２４】
本発明の実施形態に含まれる基地局は、無線アクセスネットワークに配備され、端末のための無線通信機能を提供するように構成された装置である。異なる無線アクセス技術を使用するシステムでは、基地局の名前が異なる場合がある。例えば、ＬＴＥシステムでは、基地局は進化型ＮｏｄｅＢ（進化したＮｏｄｅＢ、ｅＮＢまたはｅＮｏｄｅＢ）であってもよい。第３世代（３ｒｄ  Ｇｅｎｅｒａｔｉｏｎ、３Ｇ）システムでは、基地局はＮｏｄｅＢ（ＮｏｄｅＢ）であってもよい。第２世代（２ｎｄ  Ｇｅｎｅｒａｔｉｏｎ、２Ｇ）システムでは、基地局は基地トランシーバ局（Ｂａｓｅ  Ｔｒａｎｓｃｅｉｖｅｒ  Ｓｔａｔｉｏｎ、ＢＴＳ）であってもよい。本発明の実施形態における基地局は、既存の通信システム内の基地局を含み、可能性のある将来の通信システム内の基地局も含むことを理解されたい。これは、本発明の実施形態において限定されない。
【００２５】
本発明の実施形態に含まれる端末は、無線端末であってもよく、無線端末は、ユーザに音声またはデータ接続性を提供するデバイス、無線接続機能を有するハンドヘルドデバイス、またはワイヤレスモデムに接続された他の処理デバイスであってもよい。無線端末は、無線アクセスネットワーク（Ｒａｄｉｏ  Ａｃｃｅｓｓ  Ｎｅｔｗｏｒｋ、ＲＡＮ）を使用することによって、１つまたは複数のコアネットワークと通信し得る。無線端末は、移動電話（または「セルラ」電話と呼ばれる）または移動端末を備えたコンピュータなどの移動端末であってもよい。例えば、無線端末は、携帯型、ポケットサイズ、ハンドヘルド型、コンピュータ内蔵型、または車載移動装置であってもよく、無線アクセスネットワークと音声またはデータを交換する。例えば、無線端末は、パーソナル通信サービス（Ｐｅｒｓｏｎａｌ  Ｃｏｍｍｕｎｉｃａｔｉｏｎｓ  Ｓｅｒｖｉｃｅ、ＰＣＳ）電話、コードレス電話機、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）ステーション、または携帯情報端末（Ｐｅｒｓｏｎａ  Ｄｉｇｉｔａｌ  Ａｓｓｉｓｔａｎｔ、ＰＤＡ）であってもよい。無線端末はまた、システム、加入者ユニット（Ｓｕｂｓｃｒｉｂｅｒ  Ｕｎｉｔ）、加入者ステーション（Ｓｕｂｓｃｒｉｂｅｒ  Ｓｔａｔｉｏｎ）、移動局（Ｍｏｂｉｌｅ  Ｓｔａｔｉｏｎ）、モバイルコンソール（Ｍｏｂｉｌｅ）、遠隔局（Ｒｅｍｏｔｅ  Ｓｔａｔｉｏｎ）、アクセスポイント（Ａｃｃｅｓｓ  Ｐｏｉｎｔ、ＡＰ）、遠隔端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザデバイス（Ｕｓｅｒ  Ｄｅｖｉｃｅ）、またはユーザ機器（Ｕｓｅｒ  Ｅｑｕｉｐｍｅｎｔ）と称してもよい。
【００２６】
本発明の実施形態で提供される技術的解決策は、セルラ通信システムにおける低周波数セルが独立したセルとして動作するシナリオに適用されてもよい。従来のオムニ伝送方式でシステム情報を送信する方式に比べて、本発明の実施形態で提供される解決策では、システム情報がビームを用いてセル内で送信され、システムのオーバーヘッドが大幅に低減される。本発明の実施形態で提供される技術的解決策は、セルラ通信システムにおける高周波セルが独立したセルとして動作するシナリオにも適用され得る。システム情報を送信するために高周波数セルでオムニ伝送方式が依然として使用されている場合、基地局の電力消費は比較的大きいだけでなく、伝送範囲も非常に限られている。本発明の実施形態で提供される解決策では、システムオーバヘッドが低減される一方で、セルのカバレージエリアおよび容量が保証される。本発明の実施形態で提供される技術的解決策は、セルラ通信システムにおける高周波セルと低周波数セルの共同ネットワーキングのシナリオにも適用できることが理解されよう。
【００２７】
以下、本発明の実施形態に含まれる上記の共通の特徴に基づいて、本発明の実施形態をさらに詳細に説明する。
【００２８】
本発明の実施形態は、システム情報を送信するための方法、およびこの方法に基づく基地局、端末、およびシステムを提供する。端末はアップリンク信号を送信し、アップリンク信号は基地局をトリガして第１のシステム情報を送信させるために使用され、第１のシステム情報は端末がセルにキャンプオンするために使用される。アップリンク信号を受信した後、基地局は、第１のシステム情報を端末の位置を示すビームに載せて送信する。これに対応して、端末は、基地局によって端末の位置を示すビームに載せて送信された第１のシステム情報を受信する。第1のシステム情報を受信した後、端末は、第１のシステム情報に従って基地局への無線リソース制御（Ｒａｄｉｏ  Ｒｅｓｏｕｒｃｅ  Ｃｏｎｔｒｏｌ、ＲＲＣ）接続設定処理をさらに開始し得る。基地局はさらに、ＲＲＣ接続設定処理においてまたはＲＲＣ接続設定処理後に、第２のシステム情報を端末の位置を示すビームに載せて送信し、第２のシステム情報は、セル内で通信を行うために端末によって使用される。これに対応して、端末は、基地局によって端末の位置を示すビームに載せて送信された第２のシステム情報を受信する。端末がＲＲＣアイドルモードの端末である場合、基地局は、端末の位置を示す第１のシステム情報をビームに載せて送信すればよく、端末がＲＲＣ接続モードの端末である場合、基地局は、第２のシステム情報を端末の位置を示すビームに載せて送信すればよい。
【００２９】
以下では、説明の便宜上、第１のシステム情報および第２のシステム情報は、ＬＴＥシステムを例として使用して説明される。ＬＴＥシステムでは、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）は、ＴＳ３６．３３１プロトコルに従ってシステム情報のための一連の規定を定めている。本発明の本実施形態の解決策では、既存のシステム情報が第１のシステム情報と第２のシステム情報とに分割される。将来の新しい通信システムでは、新しいシステム情報が導入されるか、既存のシステム情報が統合または再分類され、新しいシステム情報または再分類されたシステム情報が本発明の実施形態で説明される第１のシステム情報または第２のシステム情報にその機能に従って追加され得ることが理解できよう。本発明の実施形態で説明される第１のシステム情報または第２のシステム情報は、以下に示す既存のシステム情報に限定されない。以下、第１のシステム情報と第２のシステム情報について説明する。
【００３０】
第１のシステム情報は、端末がセルにキャンプオンするために使用される。一例では、第１のシステム情報は、以下の情報のうちの少なくとも１つ、すなわち、ブロードキャストチャネル（Ｂｒｏａｄｃａｓｔ  Ｃｈａｎｎｅｌ、ＢＣＨ）構成情報、オペレータ情報、および追跡エリア情報のうちの少なくとも１つを含む。ブロードキャストチャネル構成情報は、以下の情報のうちの少なくとも１つ、すなわち、ダウンリンク帯域幅情報、システムフレーム番号（Ｓｙｓｔｅｍ  Ｆｒａｍｅ  Ｎｕｍｂｅｒ、ＳＦＮ）、物理ハイブリッド自動再送要求指示チャネル（Ｐｈｙｓｉｃａｌ  Ｈｙｂｒｉｄ  Ａｕｔｏｍａｔｉｃ  Ｒｅｔｒａｎｓｍｉｓｓｉｏｎ  Ｒｅｑｕｅｓｔ  Ｉｎｄｉｃａｔｉｏｎ  Ｃｈａｎｎｅｌ、ＰＨＩＣＨ）構成情報のうちの少なくとも１つを含む。オペレータ情報は、地上波公共移動通信ネットワーク（Ｐｕｂｌｉｃ  Ｌａｎｄ  Ｍｏｂｉｌｅ  Ｎｅｔｗｏｒｋ、ＰＬＭＮ）リスト情報であってもよい。追跡エリア情報は、追跡エリアコード（Ｔｒａｃｋｉｎｇ  Ａｒｅａ  Ｃｏｄｅ、ＴＡＣ）であってもよい。
【００３１】
一例では、第１のシステム情報は、システム情報ブロック（Ｓｙｓｔｅｍ  Ｉｎｆｏｒｍａｔｉｏｎ  Ｂｌｏｃｋ、ＳＩＢ）１〜ＳＩＢ５に含まれる情報の少なくとも１つをさらに含む。ＳＩＢ１は、端末がセルにアクセスすることを許可するかどうかを評価するための情報と、他のシステム情報のスケジューリング情報とを含む。ＳＩＢ２は、すべての端末に適用可能な共通の無線リソース構成情報を含む。ＳＩＢ３は、同一周波数内セル再選択、周波数間セル再選択、およびシステム間セル再選択の少なくとも１つに適用可能な共通情報を含む。ＳＩＢ４は、特定の再選択パラメータとセルブラックリスト（ブラックリスト）情報を必要とするセルの情報、すなわち、端末がキャンプまたはアクセスすることができないセルのリスト情報を含む。ＳＩＢ５は、周波数間セル再選択情報、例えば、別の進化型ユニバーサル地上波無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、Ｅ−ＵＴＲＡＮ）の周波数情報、および周波数間隣接セルに関する情報を含む。例えば、第１のシステム情報は、以下の情報のうちの少なくとも１つを含む。
ａ。以下の情報のうちの少なくとも１つ、すなわち、セル選択に必要とされる最小リファレンス信号受信電力（Ｒｅｆｅｒｅｎｃｅ  Ｓｉｇｎａｌ  Ｒｅｃｅｉｖｅｄ  Ｐｏｗｅｒ、ＲＳＲＰ）、およびセル選択に必要な最小ＲＳＲＰクラスオフセットのうちの少なくとも１つを含むセル選択構成情報。
ｂ。以下の情報のうちの少なくとも１つ、すなわち、再選択閾値、セル再選択優先度、同一周波数内セル再選択構成情報、および周波数間セル再選択構成情報のうちの少なくとも１つを含むセル再選択構成情報であり、同一周波数内セル再選択構成情報は、以下の情報のうちの少なくとも１つ、すなわち、セル再選択に必要な最小ＲＳＲＰクラス、アンテナポート１プレゼンスインジケータ、および隣接セル構成情報のうちの少なくとも１つを含み、隣接セル構成情報は、物理セル識別子、セル間オフセット、および再選択タイマを含み、周波数間セル再選択構成情報は以下の情報のうちの少なくとも１つ、すなわち、搬送波周波数リスト構成情報、ダウンリンク搬送波周波数、セル選択またはセル再選択に必要な最小ＲＳＲＰクラスオフセット、再選択タイマ、下方再選択しきい値、許容測定帯域幅、アンテナポート１プレゼンスインジケータ、および隣接セル構成情報を含み、隣接セル構成情報が物理セル識別子およびセル間オフセットを含むセル再選択構成情報。
ｃ。以下の情報のうちの少なくとも１つ、すなわち、時分割二重構成、システム値タグ、アクセス区分禁止情報（例えば、セル禁止インジケータ）、周波数または周波数帯インジケータ情報、ブロードキャスト制御チャネル（Ｂｒｏａｄｃａｓｔ  Ｃｏｎｔｒｏｌ  Ｃｈａｎｎｅｌ、ＢＣＣＨ）構成情報と、セル識別子（Ｃｅｌｌ  Ｉｄｅｎｔｉｔｙ、ＣＩ）とを含むセル再選択構成情報。
ｄ。以下の情報のうちの少なくとも１つ、すなわち、物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）構成情報、およびランダムアクセスチャネル（Ｒａｎｄｏｍ  Ａｃｃｅｓｓ  Ｃｈａｎｎｅｌ、ＲＡＣＨ）の共通構成情報の少なくとも１つを含むランダムアクセス構成情報であり、物理ランダムアクセスチャネル構成情報は、以下の情報のうちの少なくとも１つ、すなわち、ルートシーケンスインデックスおよび物理ランダムアクセスチャネル構成インデックスのうちの少なくとも１つの情報を含み、ランダムアクセスチャネル共通構成情報はプリアンブル情報を含むセル再選択構成情報。
ｅ。以下の情報のうちの少なくとも１つ、すなわち、ページングレコードリスト、システム情報変更、ＵＥアイデンティティ（ＵＥ  Ｉｄｅｎｔｉｔｙ、例えば、Ｓ−ＴＭＳＩ（Ｓｙｓｔｅｍ  Ａｒｃｈｉｔｅｃｔｕｒｅ  Ｅｖｏｌｕｔｉｏｎ  Ｔｅｍｐｏｒａｒｙ  Ｍｏｂｉｌｅ  Ｓｕｂｓｃｒｉｂｅｒ  Ｉｄｅｎｔｉｔｙ）またはＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ））、およびコアネットワークドメイン（ｃｏｒｅ  ｎｅｔｗｏｒｋ−ｄｏｍａｉｎ、例えば、回路ドメインまたはパケットドメイン）情報のうちの少なくとも１つを含むページングチャネル（Ｐａｇｉｎｇ  Ｃｈａｎｎｅｌ、ＰＣＨ）。
ｆ。物理チャネル構成情報である、物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）共通構成情報、物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）共通構成情報、物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）共通構成情報、アップリンク電力制御（Ｕｐｌｉｎｋ  Ｐｏｗｅｒ  Ｃｏｎｔｒｏｌ、ＵＰＣ）、およびアップリンクサイクリックプレフィックス長。
【００３２】
一例では、第１のシステム情報が上記「ａ〜ｆ」に列挙された情報の一部のみを含む場合には、「ａ〜ｆ」に列挙された情報の優先度がａからｆにソートされ、システム情報は優先的に優先度の高い情報を含む。もちろん、情報の優先順位は別の方式に従ってソートされてもよい。本発明の本実施形態は、「ａからｆ」に列挙された情報の優先順位を限定するものではない。
【００３３】
第２のシステム情報は、セル内で通信を行うために端末によって使用される。第２のシステム情報には、第１のシステム情報以外の全てのシステム情報、例えば、ＳＩＢ６〜ＳＩＢ１９の情報が含まれる。ＳＩＢ６〜ＳＩＢ８は、システム間セル再選択に関する情報を含む。ＳＩＢ９は、ホーム基地局の名前情報を含む。ＳＩＢ１０は、地震津波警報システム（Ｅａｒｔｈｑｕａｋｅ  ａｎｄ  Ｔｓｕｎａｍｉ  Ｗａｒｎｉｎｇ  Ｓｙｓｔｅｍ、ＥＴＷＳ）のプライマリ通知情報を含む。ＳＩＢ１１は、ＥＴＷＳのセカンダリ通知情報を含む。ＳＩＢ１２は、商用モバイルアラートシステム（Ｃｏｍｍｅｒｃｉａｌ  Ｍｏｂｉｌｅ  Ａｌｅｒｔ  Ｓｙｓｔｅｍ、ＣＭＡＳ）の通知情報を含む。ＳＩＢ１３は、マルチメディアブロードキャストマルチキャストシステム（Ｍｕｌｔｉｍｅｄｉａ  Ｂｒｏａｄｃａｓｔ  Ｍｕｌｔｉｃａｓｔ  Ｓｙｓｔｅｍ、ＭＢＭＳ）を含む。ＳＩＢ１４は、拡張アクセス禁止（Ｅｘｔｅｎｄｅｄ  Ａｃｃｅｓｓ  Ｂａｒｒｉｎｇ、ＥＡＢ）パラメータを含む。ＳＩＢ１５は、ＭＢＭＳサービスエリア識別子（Ｓｅｒｖｉｃｅ  Ａｒｅａ  Ｉｄｅｎｔｉｆｉｅｒ、ＳＡＩ）および／または隣接セルキャリア周波数を含む。ＳＩＢ１６は、全地球測位システム（Ｇｌｏｂａｌ  Ｐｏｓｉｔｉｏｎｉｎｇ  Ｓｙｓｔｅｍ、ＧＰＳ）を含む。ＳＩＢ１７は、Ｅ−ＵＴＲＡＮおよび無線ローカルエリアネットワーク（Ｗｉｒｅｌｅｓｓ  Ｌｏｃａｌ  Ａｒｅａ  Ｎｅｔｗｏｒｋ、ＷＬＡＮ）のサービスガイド情報を含む。ＳＩＢ１８は、Ｅ−ＵＴＲＡＮがデバイス対デバイス（Ｄｅｖｉｃｅ  ｔｏ  Ｄｅｖｉｃｅ、Ｄ２Ｄ）通信をサポートする端末処理情報を示す。ＳＩＢ１９は、Ｅ−ＵＴＲＡＮがＤ２Ｄ発見（discovery）をサポートすることに関連するリソース構成情報を含む。
【００３４】
なお、上記「ａ〜ｆ」に列挙した情報のすべてまたは一部が第１のシステム情報に含まれていない場合には、その情報が第２のシステム情報に含まれることになる。
【００３５】
第１のシステム情報および第２のシステム情報に含まれる各種情報の名称については、説明を分かり易くするため、以下のような略称を説明例として用いる。
【００３６】
【表１】
2018532347.tif 000013
【００３７】
従来のセルラ通信では、基地局は、通常、全方向送信方式を使用してセル範囲内のすべてのシステム情報を送信する。これは、基地局の非常に大きな電力消費を引き起こす。本発明の本実施形態で提供される解決策によれば、システム情報はオンデマンド（ｏｎ  ｄｅｍａｎｄ）で送信されることができる。基地局は、第１のシステム情報をＲＲＣアイドル状態にある端末のビームカバレッジエリア内で送信し、第２のシステム情報をＲＲＣ接続モードにある端末のビームカバレッジエリア内で送信すればよい。オンデマンドでシステム情報を送信する解決策は、特に、ＲＲＣアイドルモードまたはＲＲＣ接続モードにある複数の端末が異なるビームカバレッジエリアに位置し、基地局が異なるビームでシステム情報を送信する必要がある場合に、オーバーヘッドを大幅に低減する。
【００３８】
以下、本発明の実施形態で提供される解決策について、図２を参照して説明する。
【００３９】
パート２０１において、端末はアップリンク信号を送信し、アップリンク信号は基地局をトリガして第１のシステム情報を送信させ、第１のシステム情報は端末によって使用されてセルにキャンプオンする。アップリンク信号は、アップリンクディスカバリリファレンス信号（Ｄｉｓｃｏｖｅｒ  Ｒｅｆｅｒｅｎｃｅ  Ｓｉｇｎａｌ、ＤＲＳ）でもよく、サウンディングリファレンス信号（Ｓｏｕｎｄｉｎｇ  Ｒｅｆｅｒｅｎｃｅ  Ｓｉｇｎａｌ、ＳＲＳ）でもよく、またはランダムアクセスプリアンブル（ｒａｎｄｏｍ  ａｃｃｅｓｓ  ｐｒｅａｍｂｌｅ）または基地局をトリガして第１のシステム情報を送信させるために特別に使用されるプリセット信号でもよい。
【００４０】
一例では、アップリンク信号を送信する前に、端末は、少なくとも１つのビームを使用してセル内の基地局によって送信されたダウンリンク信号をさらに受信し、ダウンリンク信号はダウンリンクＤＲＳを含み、ダウンリンクＤＲＳはセルを発見するために端末によって使用される。このようにして、端末は、ダウンリンクＤＲＳに従って、端末の現在位置がセルによってカバーされているかどうかを判定し、端末の現在位置を示すビームについての情報を取得し得る。
【００４１】
一例では、アップリンク信号を送信する前に、端末はさらに、ダウンリンクＤＲＳに従ってセルがキャンピングに適していることを事前に判定する。例えば、端末は、ダウンリンクＤＲＳのリファレンス信号強度インジケータ（Ｒｅｆｅｒｅｎｃｅ  Ｓｉｇｎａｌ  Ｓｔｒｅｎｇｔｈ  Ｉｎｄｉｃａｔｉｏｎ、ＲＳＳＩ）またはダウンリンクＤＲＳのリファレンス信号受信電力（Ｒｅｆｅｒｅｎｃｅ  Ｓｉｇｎａｌ  Ｒｅｃｅｉｖｅｄ  Ｐｏｗｅｒ、ＲＳＲＰ）に従って事前判定を実行する。このようにして、端末は、端末がキャンプオンする可能性が高い基地局にアップリンク信号を意図的に送信し得る。
【００４２】
一例では、端末は、アップリンク信号の構成情報に従ってアップリンク信号を送信する。アップリンク信号の構成情報は、基地局のダウンリンクシグナリングオーバーヘッドを低減するように事前に設定されてもよく、または端末がアップリンク信号をより柔軟に送信し得るようにアップリンク信号の構成情報は基地局によって送信されるダウンリンク信号に含まれてもよく、またはアップリンク信号の構成情報は別の方式で取得されてもよい。これは、本発明の本実施形態では限定されない。
【００４３】
パート２０２において、基地局は、端末によって送信されたアップリンク信号を受信し、アップリンク信号は、基地局をトリガして第１のシステム情報を送信させるために使用され、第１のシステム情報はセルにキャンプオンするために端末によって使用される。
【００４４】
一例では、端末によって送信されたアップリンク信号を受信する前に、基地局は、セル内で、少なくとも１つのビームを使用してダウンリンク信号をさらに送信し、ダウンリンク信号はダウンリンクＤＲＳを含み、ダウンリンクＤＲＳはセルを発見するために端末によって使用される。
【００４５】
一例では、基地局は、端末によって送信されたアップリンク信号をアップリンク信号の構成情報に従って受信する。
【００４６】
パート２０２において、パート２０１と同様または対応する内容については、パート２０１の詳細な説明を参照されたい。本明細書では詳細は再説明されない。
【００４７】
パート２０３において、基地局は、第１のシステム情報を端末の位置を示すビームに載せて送信する。例えば、基地局は、端末が送信したアップリンク信号を受信した後、第１のシステム情報を端末の位置を示すビームに載せて直ちに送信し得るので、端末は第１のシステム情報を迅速に取得し得、または基地局は、第１のシステム情報を事前に設定された時間周期に従って端末の位置を示すビームに載せて送信し得る。これにより、同じビームカバレッジエリア内で、第１のシステム情報を複数の端末に送信するための基地局のシグナリングオーバヘッドを低減し得る。
【００４８】
パート２０４において、端末は、基地局によって端末の位置を示すビームに載せて送信された第１のシステム情報を受信する。
【００４９】
一例では、端末は、基地局によって端末の位置を示すビームに載せて送信された第１のシステム情報を受信した後、第１のシステム情報に従って基地局に対するＲＲＣ接続設定処理をさらに開始する。例えば、端末は、ランダムアクセスによってＲＲＣ接続設定処理を開始してもよい。
【００５０】
一例では、基地局はさらに、第１のシステム情報を端末の位置を示すビームに載せて送信した後、第１のシステム情報に従って、端末によって開始されたＲＲＣ接続設定処理においてまたはＲＲＣ接続設定処理後に、第２のシステム情報を端末の位置を示すビームに載せて送信し、第２のシステム情報はセル内で通信を実行するために端末によって使用される。例えば、基地局は、端末によって送信されたＲＲＣ接続設定メッセージを受信した後に第２のシステム情報を送信し得、または基地局は、端末によって送信されたＲＲＣ接続設定完了メッセージを受信した後に第２のシステム情報を送信し得、または基地局は、専用のＲＲＣシグナリングを使用することによって、第２のシステム情報を端末に送信し得る。これに対応して、端末は、ＲＲＣ接続設定処理またはＲＲＣ接続設定処理の後に、基地局によって端末の位置を示すビームに載せて送信された第２のシステム情報を受信する。例えば、端末は、基地局がＲＲＣ接続設定メッセージを送信した後に基地局によって送信される第２のシステム情報を受信し得、または端末は、基地局が端末によって送信されたＲＲＣ接続設定完了メッセージを受信した後に基地局によって送信される第２のシステム情報を受信し得、または端末は、専用ＲＲＣシグナリングを使用することによって基地局によって送信される第２のシステム情報を受信し得る。もちろん、基地局は、代わりに、ＲＲＣ接続設定処理の前に、第２のシステム情報を端末の位置を示すビームに載せて送信してもよい。これは、本実施形態では限定されない。したがって、基地局は、実際の状況に応じて適切なタイミングで第２のシステム情報を端末に送信し得る。
【００５１】
一例では、第１のシステム情報は、ブロードキャストチャネル構成情報、オペレータ情報、および追跡エリア情報の少なくとも１つを含む。任意選択で、第１のシステム情報は、ページングチャネル構成情報をさらに含み、ページングチャネル構成情報は、ページングウィンドウを計算するために端末によって使用される。ページングウィンドウは、ページングメッセージを監視するための１つのサブフレームまたは複数のサブフレームの時間長を意味し、複数のサブフレームは連続的または不連続的なものであってもよい。このように、基地局がビーム方式でシステム情報を送信する場合、端末はページングメッセージを見逃さない。
【００５２】
以下、添付の図面を参照して、本発明の実施形態についてさらに説明する。
【００５３】
図３Ａは、本発明の実施形態による第１のシステム情報を送信する概略的な通信図である。
【００５４】
パート３０１において、基地局は、セル内において、少なくとも１つのビームを用いてダウンリンク信号を送信し、ダウンリンク信号はダウンリンクＤＲＳを含み、ダウンリンクＤＲＳはセルを発見するために端末に対して使用される。任意選択で、ダウンリンクＤＲＳは、ダウンリンク同期信号（ｓｙｎｃｈｒｏｎｉｚａｔｉｏｎ  ｓｉｇｎａｌ）を含み、ダウンリンク同期信号は、基地局とのダウンリンク同期を達成するために端末によって使用される。ダウンリンク同期信号は、単一の同期信号であってもよく、またはダウンリンクプライマリ同期信号（Ｐｒｉｍａｒｙ  Ｓｙｎｃｈｒｏｎｉｚａｔｉｏｎ  Ｓｉｇｎａｌ、ＰＳＳ）およびダウンリンクセカンダリ同期信号（Ｓｅｃｏｎｄａｒｙ  Ｓｙｎｃｈｒｏｎｉｚａｔｉｏｎ  Ｓｉｇｎａｌ、ＳＳＳ）を含んでもよい。任意選択で、ダウンリンクＤＲＳは、セル固有リファレンス信号（Ｃｅｌｌ−ｓｐｅｃｉｆｉｃ  Ｒｅｆｅｒｅｎｃｅ  Ｓｉｇｎａｌ、ＣＲＳ）およびチャネル状態情報リファレンス信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ、ＣＳＩ−ＲＳ）をさらに含んでもよい。
【００５５】
パート３０２において、少なくとも１つのビームを使用してセル内の基地局によって送信されたダウンリンク信号を受信した後、端末は、セルがキャンピングに適していることを事前に判定する。端末は、ダウンリンクＤＲＳに従って、セルがキャンピングに適していることを事前に判定し得る。例えば、端末は、ダウンリンクＤＲＳのリファレンス信号強度インジケータまたはダウンリンクＤＲＳのリファレンス信号受信電力に従って、セルがキャンピングに適していることを事前に判定する。
【００５６】
一例では、ダウンリンク信号は、ＰＬＭＮ情報、セル選択情報、およびセル再選択情報のうちの少なくとも１つをさらに含む。ダウンリンクＤＲＳに従って基地局とのダウンリンク同期を達成した後、端末は、ＰＬＭＮ情報、セル選択情報、およびセル再選択情報のうちの少なくとも１つに従って、セルがキャンピングに適していることを事前に判定する。端末は、異なる基地局によって送信されるダウンリンク信号を受信するように異なる基地局のビームを検出し得ることが理解できる。ダウンリンク信号が、異なる基地局によって送信されるＰＬＭＮ情報、セル選択情報およびセル再選択情報のうちの少なくとも１つを含む場合、端末は、ＰＬＭＮ情報、セル選択情報およびセル再選択情報のうちの少なくとも１つに基づいて予備的な判定を行い、次に、アップリンクＤＲＳを全ての検出された基地局に送信し、全ての基地局によって送信された第１のシステム情報を受信した後に判定を実行しなくても、対応する基地局をトリガして第１のシステム情報を送信させるために、キャンピングに適したセルについてアップリンクＤＲＳを対応する基地局に送信し得、それによって遅延およびオーバーヘッドを低減する。例えば、端末は、基地局をトリガして第１のシステム情報を端末に送信させるために、基地局のアップリンクＤＲＳ構成情報に従ってアップリンクＤＲＳを送信し得る。あるいは、複数の基地局が同じアップリンクＤＲＳ構成情報を使用し、端末によって送信されるアップリンクＤＲＳが、複数の基地局をトリガして、第１のシステム情報を端末の位置を示すビームに載せて送信させてもよい。複数の基地局は、端末が複数の基地局から第１のシステム情報をそれぞれまたは同時に受信し得るように、第１のシステム情報の時間−周波数領域リソースを協調して端末に送信してもよく、端末は、第１のシステム情報に従って、複数の基地局のうちの１つの基地局によって提供されるセルにキャンプオンすることを選択してもよく、または複数のセルに同時にキャンプオンすることさえ実行してもよい。ネットワークは、１つまたは複数のセルを使用して端末にページングメッセージを送信し得る。
【００５７】
パート３０３において、端末は、基地局にアップリンクＤＲＳを送信し、アップリンクＤＲＳは、基地局をトリガして第１のシステム情報を送信させるために使用される。
【００５８】
一例では、アップリンクＤＲＳは、セル固有のアップリンクＤＲＳまたはビーム固有のアップリンクＤＲＳであり、異なる端末は区別されない。したがって、異なる端末は、同一のアップリンクＤＲＳおよび対応するアップリンクリソースを選択し、選択された同一のアップリンクＤＲＳを基地局に送信し得る。
【００５９】
一例では、基地局によって送信されるダウンリンク信号は、アップリンクＤＲＳの構成情報をさらに含む。端末がセルにキャンプオンする場合、端末は、アップリンクＤＲＳの構成情報に従って基地局にアップリンクＤＲＳを送信し、アップリンクＤＲＳの構成情報は基地局によって送信され、または端末は、アップリンクＤＲＳのプリセット構成情報に従って、アップリンクＤＲＳを基地局に送信し得、または端末は、ダウンリンクＤＲＳに従って対応するアップリンクＤＲＳを生成し、アップリンクＤＲＳを基地局に送信し得る。端末が端末の位置を示すビームに載った第１のシステム情報を受信した場合、端末は、アップリンクＤＲＳを送信しなくてもよいことに留意されたい。
【００６０】
一例では、端末は、ビーム識別子をアップリンクＤＲＳにさらに追加し、ビーム識別子は、端末の位置を示すビームを識別するために使用される。
【００６１】
パート３０４において、基地局は、端末によって送信されたアップリンクＤＲＳを受信した後、第１のシステム情報を端末の位置を示すビームに載せて送信し、第１のシステム情報は、セルにキャンプオンするために端末によって使用される。
【００６２】
基地局によって送信されるダウンリンク信号が、ダウンリンク信号に含まれるパートについて、３種類の情報のうち、ＰＬＭＮ情報、セル選択情報、セル再選択情報のうちの少なくとも１つを含む場合、このパートは、基地局によって送信される第１のシステム情報に含まれず、ダウンリンク信号に含まれないパートについては、このパートは、基地局によって送信される第１のシステム情報に含まれる。例えば、ダウンリンク信号がＰＬＭＮ情報を含み、セル選択情報およびセル再選択情報を含まない場合、第１のシステム情報は本明細書では、セル選択情報およびセル再選択情報を含み、またはダウンリンク信号がＰＬＭＮ情報およびセル選択情報を含む場合、第１のシステム情報は本明細書では、セル再選択情報を含み、またはダウンリンク信号がＰＬＭＮ情報、セル選択情報およびセル再選択情報を含む場合、第１のシステム情報は、３種類の情報のいずれも含まない。
【００６３】
一例では、基地局は、以下の方法の１つを使用して、端末の位置を示すビームを判定し得る。
【００６４】
第１の方式において、アップリンクＤＲＳがビーム識別子を含む場合、基地局は、ビーム識別子に従って、端末の位置を示すビームを判定する。
【００６５】
第２の方式では、基地局は、端末の位置がダウンリンク方向であることを示すビームを判定するために、チャネル相互関係を使用して、端末によって送信されたアップリンクＤＲＳに対しチャネル推定を実行する。
【００６６】
一例では、基地局は、事前に設定された時間内に少なくとも１つのビームを用いて第１のシステム情報を送信し、事前に設定された回数だけ送信を行う。例えば、図３Ｂに示すように、基地局は、ビームに対して、事前に設定された時間ｔ０〜ｔｓにおいて、事前に設定された送信時機ｔｓ以前に複数の端末（例えば、端末１〜端末ｎ）によって送信されたアップリンクＤＲＳを受信し得る。基地局は、このビームカバレッジエリア内に端末が存在し、端末がキャンプする予定であると判断した後、アップリンクＤＲＳを送信する各端末に対する第１のシステム情報の送信を回避するために、このビームカバレッジエリア内で１回または複数回第１のシステム情報をプリセット送信時機ｔｓで送信し、それによりオーバーヘッドを低減する。
【００６７】
一例では、基地局が、異なるビームカバレッジエリアにある端末によって送信されたアップリンクＤＲＳを受信する場合、基地局が異なるビームを使用して第１のシステム情報を送信する送信時機は、同一でも異なってもよい。送信時機が同じであるということは、基地局が異なるビームカバレッジエリア内において第１のシステム情報を同時に送信することを意味する。送信時機が異なるということは、例えば、ビーム１およびビーム２について、基地局は、送信時機１にビーム１の範囲内において第１のシステム情報を送信し、送信時機２にビーム２の範囲内において第１のシステム情報を送信することを意味する。送信時機１および送信時機２は、同一サブフレームまたは異なるサブフレームの異なるシンボル位置にあってもよい。
【００６８】
これに対応して、端末は、基地局によって端末の位置を示すビームに載せて送信された第１のシステム情報を受信する。アップリンクＤＲＳを送信した後、端末が第１のシステム情報を所定時間内に受信しない場合、端末はアップリンクＤＲＳを基地局に再送する。任意選択で、端末は、アップリンクＤＲＳおよび対応するアップリンクリソースを再選択した後に送信を行う。
【００６９】
基地局は代わりに、端末によって送信されたアップリンクＤＲＳを受信した直後に第１のシステム情報を端末に送信し得る、例えば、専用のＲＲＣシグナリングを使用して第１のシステム情報を端末に送信し得ることに留意されたい。
【００７０】
本発明の本実施形態では、ＲＲＣアイドルモードの端末の場合、パート３０１からパート３０４のステップを実行してもよく、ＲＲＣ接続モードの端末の場合、パート３０１からパート３０４のステップは実行されなくてもよく、またはパート３０４の対応するステップのみが実行されてもよい。すなわち、基地局は、端末の位置を示すビームに載せて第１のシステム情報を送信し、これに対応して、端末は、基地局によって送信される第１のシステム情報を受信する。
【００７１】
一例では、第１のシステム情報が変更された場合、基地局は、変更された第１のシステム情報をセル範囲内のすべてのビームで送信し、それによりセル範囲内のすべての端末が変更された第１のシステム情報を受信できる。第１のシステム情報は、頻繁に変化しないことが理解できる。したがって、オーバーヘッドは小さい。これは、基地局によって、端末の位置を示すビームについての情報を維持するためのオーバーヘッドを回避する。
【００７２】
図４は、本発明の実施形態による第２のシステム情報を送信するための概略的な通信図である。
【００７３】
端末は、第１のシステム情報に従って基地局へのＲＲＣ接続設定処理を開始する。ここで、端末がランダムアクセスを用いてＲＲＣ接続設定処理を開始することは、説明のための一例として用いる。図４におけるパート４０５およびパート４０７は、任意のパートであり、これらパートの１つは、選択して実行し得ることに留意されたい。
【００７４】
パート４０１において、端末は、ランダムアクセスプリアンブルを基地局に送信する。
【００７５】
パート４０２において、基地局は、ランダムアクセス応答メッセージを端末に送信する。
【００７６】
パート４０３において、端末は、ＲＲＣ接続要求メッセージを基地局に送信する。任意選択で、端末は、ＲＲＣ接続要求メッセージにおいて、基地局に第２のシステム情報を端末の位置を示すビームに送信するように要求する。
【００７７】
パート４０４において、基地局は、ＲＲＣ接続設定メッセージを端末に送信する。
【００７８】
パート４０５において、基地局は、第２のシステム情報を端末の位置を示すビームに載せて送信する。基地局による第２のシステム情報の送信の具体的な実装処理は、基地局により第１のシステム情報を端末の位置を示すビームに載せて送信する処理と同様である。パート３０４の詳細な説明を参照し得るので、詳細はここでは説明しない。
【００７９】
パート４０６において、端末は、ＲＲＣ接続設定完了メッセージを基地局に送信する。任意選択で、端末は、ＲＲＣ接続設定完了メッセージにおいて、基地局に第２のシステム情報を端末の位置を示すビームに載せて送信するように要求する。
【００８０】
パート４０７において、基地局は、第２のシステム情報を端末の位置を示すビームに載せて送信する。パート４０７は、パート４０５と同様である。パート４０５の詳細な説明を参照し得るので、詳細は本明細書では再説明されない。
【００８１】
基地局は、ＲＲＣ接続要求またはＲＲＣ接続設定完了メッセージ内にある端末の要求に応じて、第２のシステム情報を端末の位置を示すビームに載せて送信してもよく、または第２のシステム情報を端末の位置を示すビームに載せて直接送信してもよい。すなわち、端末が要求しているか否かにかかわらず、基地局は、第２のシステム情報を端末の位置を示すビームに載せて送信する。
【００８２】
一例では、基地局は、パート４０５およびパート４０７のステップを実行しないが、専用のＲＲＣシグナリングを使用することによって第２のシステム情報を端末に送信する。例えば、基地局は、ＲＲＣ接続設定メッセージに第２のシステム情報を含むＲＲＣシグナリングを追加するか、または端末によって送信されたＲＲＣ接続設定完了メッセージを受信した後、第２のシステム情報を含むＲＲＣシグナリングを端末に送信する。
【００８３】
一例では、第２のシステム情報が変化する場合、基地局は、ＲＲＣ接続モードの端末の位置を示すビームを承知しているので、変更された第２のシステム情報を、ＲＲＣ接続モードにある端末にのみ送信し得、それによってオーバーヘッドを減少する。
【００８４】
第１のシステム情報がページングチャネル構成情報を含む場合、端末は、ページングチャネル構成情報に従ってページングウィンドウをさらに計算し、基地局によって送信されたページングメッセージをページングウィンドウ内で受信することができる。さらに、端末は、ページングメッセージを受信した後にページング時機を判定し得る。図５は、本発明の実施形態によるページング方法の概略フローチャートである。
【００８５】
パート５０１において、端末は、ページングチャネル構成情報に従ってページングウィンドウを計算する。一例では、端末は、ページングウィンドウの開始サブフレームおよび時間長を判定することによってページングウィンドウを計算する。例えば、端末は、ページングチャネル構成情報に従って、予測ページング時機（Ｐａｇｉｎｇ  Ｏｃｃａｓｉｏｎ、ＰＯ）が属するページングフレームとページングサブフレームを計算し、ページングサブフレームをページングウィンドウの開始サブフレームとして使用し、総時間長をセルのビーム量にビームの切り替え時間を掛けたページングウィンドウの時間長として使用する。
【００８６】
なお、第１のシステム情報が変化しない場合には、第１のシステム情報を受信した後、端末は、第１のシステム情報に含まれるページングチャネル構成情報に従ってページングウィンドウを１回だけ計算する必要がある。端末がページングウィンドウを計算した場合、パート５０１は実行されず、パート５０２が直接実行されてもよい。
【００８７】
パート５０２において、端末は、ページングウィンドウ内でページングメッセージを受信する。
【００８８】
パート５０３において、端末は、ページングメッセージが属するサブフレームを実際のページング時機として使用する。一例では、端末は、端末の位置を示すビームのビーム識別子に従って、ページングメッセージが属するサブフレームを計算し、サブフレームを実際のページング時機として使用する。実際のページング時機を判定した後、端末は、実際のページング時機が属するサブフレーム内でのみページングメッセージを監視し受信する必要がある。したがって、端末によりページングメッセージを監視する時間を短縮することができ、端末の電力消費を低減する。
【００８９】
第１のシステム情報が変化しない場合、端末は実際のページング時機を１回だけ判定する必要があることに留意されたい。端末が実際のページング時機を判定した場合、端末は、実際のページング時機を判定する上述ステップと実際のページング時機を判定する前の上記ステップを実行せず、判定された実際のページング時機でページングメッセージを直接受信し得る。
【００９０】
本発明の本実施形態では、パート５０１とパート５０２のみを実行してもよいし、パート５０１〜５０３を実行してもよい。
【００９１】
本発明の実施形態において提供されるシステム情報を送信する別の方法では、端末はアップリンク信号を送信し、アップリンク信号は基地局をトリガして第１のシステム情報および第２のシステム情報を送信させるために使用され、端末により送信されたアップリンク信号を受信した後、基地局は、第１のシステム情報と第２のシステム情報を端末の位置を示すビームに載せて送信し、これに対応して、端末は、基地局によって端末の位置を示すビームに載せて送信された第１のシステム情報および第２のシステム情報を受信する。本実施形態において、上記実施形態と同一または類似の内容については、上記実施形態の詳細な説明を参照し、詳細は説明されない。図６に示すように、以下、アップリンク信号がＲＲＣ接続設定要求である場合の例を用いて説明する。
【００９２】
パート６０１では、端末は、ＲＲＣ接続設定要求を送信する。ある例では、ＲＲＣ接続設定要求メッセージは、基地局に第１のシステム情報および第２のシステム情報を送信するように要求する要求情報を含む。別の例では、ＲＲＣ接続設定要求メッセージは、基地局をトリガして第１のシステム情報および第２のシステム情報を送信させるために使用される。
【００９３】
パート６０２において、基地局は、端末により送信されたＲＲＣ接続設定要求を受信した後、第１のシステム情報および第２のシステム情報を端末の位置を示すビームに載せて送信する。一例では、基地局は、端末の要求に従って、第１のシステム情報および第２のシステム情報を送信する。別の例では、ＲＲＣ接続設定要求メッセージを受信した後、基地局は、第１のシステム情報および第２のシステム情報を端末の位置を示すビームに載せて瞬時に送信する。これに対応して、端末は、基地局によって送信された第１のシステム情報および第２のシステム情報を受信する。このようにして、端末は、第１のシステム情報と第２のシステム情報を受信した後、セル内で迅速に通信サービスを確立し得る。
【００９４】
以上は、ネットワーク要素間の相互作用の観点から、本発明の実施形態において提供される解決策を主に説明したものである。前述の機能を実現するために、端末および基地局などのネットワーク要素は、機能を実行するための対応するハードウェア構造および／またはソフトウェアモジュールを含むことが理解できる。当業者は、本発明において、本明細書で開示された実施形態を参照して説明された例におけるユニットおよびアルゴリズムステップが、ハードウェアまたはハードウェアとコンピュータソフトウェアとの組み合わせによって実施され得ることを容易に理解するはずである。機能がハードウェアによって実行されるか、またはハードウェアを駆動するコンピュータソフトウェアによって実行されるかは、技術的解決策の特定のアプリケーションおよび設計制約条件に依存する。当業者であれば、特定のアプリケーションごとに記載された機能を実施するために異なる方法を使用し得るが、その実施は本発明の範囲を超えていると考えるべきではない。
【００９５】
図７は、上記実施形態に含まれる基地局の概略構成図である。
【００９６】
基地局は、送信機／受信機７０１を含み、コントローラ／プロセッサ７０２、メモリ７０３、通信部７０４をさらに備えていてもよい。送信機／受信機７０１は、上述の実施形態における基地局と端末との間の情報通信および受信をサポートし、また端末と別の端末との間の無線通信をサポートするようにするように構成されてもよい。コントローラ／プロセッサ７０２は、端末と通信するための様々な機能を実行する。アップリンクでは、端末から到来するアップリンク信号は、アンテナによって受信され、受信機７０１によって復調され、端末によって送信されたサービスデータおよびシグナリング情報を復元するためにさらにコントローラ／プロセッサ７０２によって処理される。ダウンリンクでは、サービスデータおよびシグナリングメッセージは、コントローラ／プロセッサ７０２によって処理され、ダウンリンク信号を生成するために送信機７０１によって変調され、ダウンリンク信号は、アンテナによって端末に送信される。コントローラ／プロセッサ７０２はさらに、図２〜６の基地局に関する処理手順および／または本出願で説明される技術に適用される他の手順を実行する。メモリ７０３は、基地局のプログラムコードおよびデータを格納するように構成されている。通信ユニット７０４は、基地局と別のネットワークエンティティとの間の通信をサポートするように構成される。
【００９７】
図７が基地局の単純化された設計のみを示すことが理解できる。実際のアプリケーションにおいて、基地局は、任意の数の送信機、受信機、プロセッサ、コントローラ、メモリ、通信ユニットなどを含み得る。本発明を実施することができるすべての基地局は、本発明の保護範囲に包含される。
【００９８】
図８は、前述の実施形態に含まれる端末の可能な設計構造の簡略化された概略図である。端末は、送信機８０１および受信機８０２を含み、コントローラ／プロセッサ８０３、メモリ８０４、およびモデムプロセッサ８０５をさらに含み得る。
【００９９】
送信機８０１は、出力サンプルを調整し（例えば、デジタルアナログ変換、フィルタリング、増幅、およびアップコンバートし）、アップリンク信号を生成する。上述の実施形態では、アップリンク信号はアンテナによって基地局に送信される。ダウンリンクでは、アンテナは、基地局によって送信されたダウンリンク信号を受信する。受信機８０２は、アンテナから受信する信号を調整し（例えば、フィルタリング、増幅、ダウンコンバート、およびデジタル化し）、入力サンプルを提供する。モデムプロセッサ８０５において、エンコーダ８０６は、アップリンクで送信されるサービスデータおよびシグナリングメッセージを受信し、サービスデータおよびシグナリングメッセージを処理する（例えば、フォーマット、符号化およびインターリーブする）。変調器８０７はさらに、符号化されたサービスデータおよび符号化されたシグナリングメッセージを処理し（例えば、シンボルマッピングおよび変調を実行し）、出力サンプルを提供する。復調器８０９は、入力サンプルを処理し（例えば、復調し）、シンボル推定を行う。デコーダ８０８は、シンボル推定を処理し（例えば、デインタリーブおよび復号し）、端末に送信される復号されたデータおよび復号されたシグナリングメッセージを提供する。エンコーダ８０６、変調器８０７、復調器８０９、およびデコーダ８０８は、複合モデムプロセッサ８０５によって実現されてもよい。これらのユニットは、無線アクセスネットワークによって使用される無線アクセス技術（例えば、ＬＴＥ方式や他の進化したシステムによって使用されるアクセス技術にしたがって処理を実行する。
【０１００】
コントローラ／プロセッサ８０３は、端末の動作を制御および管理し、上述した実施形態では端末によって実行される処理を行うように構成されている。例えば、コントローラ／プロセッサ８０３は、ダウンリンクＤＲＳに従って、セルがキャンピング適していることを事前に判定するように端末を制御するように、および／または本発明に記載の技術の他の手順を制御するように構成される。例えば、コントローラ／プロセッサ８０３は、図３Ａの処理３０２、および図５の処理５０１、５０３を実行する際に端末をサポートするように構成されている。メモリ８０４は、端末のプログラムコードおよびデータを格納するように構成されている。
【０１０１】
本発明における基地局および端末の機能を実現するように構成されるコントローラ／プロセッサは、中央処理装置（ＣＰＵ）、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブルロジックデバイス、トランジスタロジックデバイス、ハードウェアコンポーネント、またはそれらの任意の組み合わせであってもよい。コントローラ／プロセッサは、本発明に開示された内容を参照して説明した様々な例示的な論理ブロック、モジュール、および回路を実装または実行し得る。あるいは、プロセッサは、計算機能を実装する組み合わせ、例えば、１つまたは複数のマイクロプロセッサを含む組み合わせ、またはＤＳＰとマイクロプロセッサとの組み合わせであってもよい。
【０１０２】
本発明で開示される内容を参照して説明された方法またはアルゴリズムのステップは、ハードウェアによって実施されてもよく、またはソフトウェア命令を実行するプロセッサによって実施されてもよい。ソフトウェア命令は、対応するソフトウェアモジュールを含み得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルハードディスク、ＣＤ−ＲＯＭ、または当技術分野で知られている他の形態の記憶媒体に格納されてもよい。例えば、記憶媒体はプロセッサに結合され、プロセッサは記憶媒体から情報を読み取り、または記憶媒体に情報を書き込むことができる。もちろん、記憶媒体はプロセッサの構成要素であってもよい。プロセッサおよび記憶媒体は、ＡＳＩＣ内に配置してもよい。さらに、ＡＳＩＣは端末内に配置されてもよい。もちろん、プロセッサおよび記憶媒体は、個別の構成要素として端末内に存在してもよい。
【０１０３】
当業者であれば、上記の１つまたは複数の例において、本発明で説明される機能は、ハードウェア、ソフトウェア、ファームウェア、またはそれらの任意の組み合わせによって実装され得ることを認識すべきである。本発明がソフトウェアによって実施される場合、前述の機能は、コンピュータ可読媒体に格納されてもよく、またはコンピュータ可読媒体内の１つまたは複数の命令またはコードとして送信されてもよい。コンピュータ可読媒体は、コンピュータ記憶媒体および通信媒体を含み、通信媒体は、コンピュータプログラムがある場所から別の場所に送信されることを可能にする任意の媒体を含む。記憶媒体は、汎用または専用のコンピュータにアクセス可能な任意の利用可能な媒体であってもよい。
【０１０４】
本発明の目的、技術的解決策、および利点は、前述の特定の実施形態においてさらに詳細に記載される。前述の説明は、本発明の特定の実施形態にすぎず、本発明の保護範囲を限定するものではないことを理解されたい。本発明の技術的解決策に基づいてなされた任意の修正、同等の置換、または改良は、本発明の保護範囲に包含されるものとする。
【０１０５】
本発明のさらなる実施形態を以下に提供する。以下のセクションで使用される番号付けは、前のセクションで使用された番号付けに必ずしも従う必要はないことに留意されたい。
【０１０６】
実施例１。システム情報を送信するための方法であって、基地局によって、端末により送信されるアップリンク信号を受信するステップであり、前記アップリンク信号は前記基地局をトリガして第１のシステム情報を送信させるために使用され、前記第１のシステム情報はセルにキャンプオンするために前記端末によって使用されるステップと、前記基地局によって、前記第１のシステム情報を前記端末の位置を示すビームに載せて送信するステップと
を含む方法。
【０１０７】
実施例２。基地局によって、端末により送信されるアップリンク信号を受信する前記ステップの前に、前記方法はさらに、前記セル中の前記基地局によって、少なくとも１つのビームを用いることによってダウンリンク信号を送信するステップであり、前記ダウンリンク信号はダウンリンクディスカバリリファレンス信号（ＤＲＳ）を含み、前記ダウンリンクＤＲＳは前記セルを発見するために前記端末によって使用されるステップを含む、実施例１による方法。
【０１０８】
実施例３。基地局によって、前記端末により送信されるアップリンク信号を受信する前記ステップは、前記基地局によって、前記端末により送信される前記アップリンク信号を前記アップリンク信号のプリセット構成情報に応じて受信するステップを含む、実施例２による方法。
【０１０９】
実施例４。前記ダウンリンク信号はさらに、前記アップリンク信号の構成情報を含み、基地局によって、前記端末により送信されるアップリンク信号を受信する前記ステップは、前記基地局によって、前記端末により送信される前記アップリンク信号を前記アップリンク信号の前記構成情報に応じて受信するステップであって、前記アップリンク信号の前記構成情報は前記基地局によって送信される、ステップを含む、実施例２による方法。
【０１１０】
実施例５。前記基地局によって、前記第１のシステム情報を前記端末の位置を示すビームに載せて送信する前記ステップの後に、前記方法はさらに、無線リソース制御（ＲＲＣ）接続設定処理中にまたは前記第１のシステム情報に応じて前記端末により開始されたＲＲＣ接続設定処理の後で、第２のシステム情報を前記端末の位置を示す前記ビームに載せて送信するステップであり、前記第２のシステム情報は前記セル内で通信を実行するために前記端末によって使用される、ステップを含む、実施例１〜４のいずれかによる方法。
【０１１１】
実施例６。ＲＲＣ接続設定処理中にまたは前記第１のシステム情報に応じて前記端末により開始されたＲＲＣ接続設定処理の後で前記基地局によって、第２のシステム情報を前記端末の位置を示す前記ビームに載せて送信する前記ステップは、以下の場合のうちの一方を、すなわち、ＲＲＣ接続設定メッセージを送信後に前記基地局が前記第２のシステム情報を送信する場合と、前記端末により送信されるＲＲＣ接続設定完了メッセージを受信後に前記基地局が前記第２のシステム情報を送信する場合のうちの一方を含む、実施例５による方法。
【０１１２】
実施例７。前記第１のシステム情報は、ブロードキャストチャネル構成情報、オペレータ情報、および追跡エリア情報のうちの１つを含む、実施例１〜４のいずれかによる方法。
【０１１３】
実施例８。前記第１のシステム情報はさらに、ページングチャネル構成情報を含み、前記ページングチャネル構成情報はページングウィンドウを計算するために前記端末によって使用される、実施例７による方法。
【０１１４】
実施例９。システム情報を受信するための方法であって、端末によって、アップリンク信号を送信するステップであり、前記アップリンク信号は基地局をトリガして第１のシステム情報を送信させるために使用され、前記第１のシステム情報はセルにキャンプオンするために前記端末によって使用される、ステップと、前記端末によって、前記基地局により前記端末の位置を示すビームに載せて送信される前記第１のシステム情報を受信するステップとを含む方法。
【０１１５】
実施例１０。端末によって、アップリンク信号を送信する前記ステップの前に、前記方法はさらに、前記端末によって、少なくとも１つのビームを用いることによって前記セル中の前記基地局により送信されるダウンリンク信号を受信するステップであり、前記ダウンリンク信号はダウンリンクディスカバリリファレンス信号（ＤＲＳ）を含み、前記ダウンリンクＤＲＳは前記セルを発見するために前記端末によって使用される、ステップを含む実施例９による方法。
【０１１６】
実施例１１。端末によって、アップリンク信号を送信する前記ステップの前に、前記方法はさらに、前記端末によって、前記ダウンリンクＤＲＳに応じて前記セルがキャンピングに適していることを事前に判定するステップを含む、実施例１０による方法。
【０１１７】
実施例１２。端末によって、アップリンク信号を送信する前記ステップは、前記端末によって、前記アップリンク信号を前記アップリンク信号のプリセット構成情報に応じて前記基地局に送信するステップを含む、実施例１１による方法。
【０１１８】
実施例１３。前記ダウンリンク信号はさらに、前記アップリンク信号の構成情報を含み、端末によって、アップリンク信号を送信する前記ステップは、前記端末によって、前記アップリンク信号を前記アップリンク信号の前記構成情報に応じて前記基地局に送信するステップであって、前記アップリンク信号の前記構成情報は前記基地局によって送信される、ステップを含む、実施例１１による方法。
【０１１９】
実施例１４。前記端末によって、前記基地局により前記端末の位置を示すビームに載せて送信される前記第１のシステム情報を受信する前記ステップの後に、前記方法はさらに、前記端末によって、前記第１のシステム情報に応じて前記基地局に対して無線リソース制御（ＲＲＣ）接続設定処理を開始するステップと、前記ＲＲＣ接続設定処理中にまたは前記ＲＲＣ接続設定処理の後で、前記端末によって、前記基地局により前記端末の位置を示す前記ビームに載せて送信される第２のシステム情報を受信するステップであり、前記第２のシステム情報は前記セル内で通信を実行するために前記端末によって使用される、ステップとを含む、実施例９〜１３のいずれかによる方法。
【０１２０】
実施例１５。前記ＲＲＣ接続設定処理中にまたは前記ＲＲＣ接続設定処理の後で前記端末によって、前記基地局により前記端末の位置を示す前記ビームに載せて送信される第２のシステム情報を受信する前記ステップは、以下の場合のうちの一方を、すなわち、前記基地局がＲＲＣ接続設定メッセージを送信後に、前記端末が前記基地局により送信される前記第２のシステム情報を受信する場合と、前記基地局が前記端末により送信されるＲＲＣ接続設定完了メッセージを受信後に、前記端末が前記基地局により送信される前記第２のシステム情報を受信する場合のうちの一方を含む、実施例１４による方法。
【０１２１】
実施例１６。前記第１のシステム情報は、ブロードキャストチャネル構成情報、オペレータ情報、および追跡エリア情報のうちの１つを含む、実施例９〜１３のいずれかによる方法。
【０１２２】
実施例１７。前記第１のシステム情報はさらに、ページングチャネル構成情報を含み、前記ページングチャネル構成情報はページングウィンドウを計算するために前記端末によって使用され、前記端末によって、前記基地局により前記端末の位置を示すビームに載せて送信される第１のシステム情報を受信した後に、前記方法はさらに、前記端末によって、前記ページングチャネル構成情報に応じて前記ページングウィンドウを計算するステップを含む、実施例１６による方法。
【０１２３】
実施例１８。端末により送信されるアップリンク信号を受信するように構成される受信機であり、前記アップリンク信号は前記基地局をトリガして第１のシステム情報を送信させるために使用され、前記第１のシステム情報はセルにキャンプオンするために前記端末によって使用される受信機と、前記第１のシステム情報を前記端末の位置を示すビームに載せて送信するように構成される送信機とを含む基地局。
【０１２４】
実施例１９。前記送信機は、前記受信機が前記端末により送信される前記アップリンク信号を受信する前に、前記セルにおいて、少なくとも１つのビームを用いることによってダウンリンク信号を送信するようにさらに構成され、前記ダウンリンク信号はダウンリンクディスカバリリファレンス信号（ＤＲＳ）を含み、前記ダウンリンクＤＲＳは前記セルを発見するために前記端末によって使用される、実施例１８による基地局。
【０１２５】
実施例２０。前記受信機は、前記端末により送信される前記アップリンク信号を前記アップリンク信号のプリセット構成情報に応じて受信するように具体的に構成される、実施例１９による基地局。
【０１２６】
実施例２１。前記ダウンリンク信号はさらに、前記アップリンク信号の構成情報を含み、前記受信機は、前記端末により送信される前記アップリンク信号を前記アップリンク信号の前記構成情報に応じて受信するように具体的に構成され、前記アップリンク信号の前記構成情報は前記送信機によって送信される、実施例１９による基地局。
【０１２７】
実施例２２。前記送信機は、前記第１のシステム情報を前記端末の位置を示す前記ビームに載せて送信した後に、無線リソース制御（ＲＲＣ）接続設定処理中にまたは前記第１のシステム情報に応じて前記端末により開始されたＲＲＣ接続設定処理の後で、第２のシステム情報を前記端末の位置を示す前記ビームに載せて送信するようにさらに構成され、前記第２のシステム情報は前記セル内で通信を実行するために前記端末によって使用される、実施例１８〜２１のいずれかによる基地局。
【０１２８】
実施例２３。前記送信機が、ＲＲＣ接続設定処理中にまたは前記第１のシステム情報に応じて前記端末により開始されたＲＲＣ接続設定処理の後で、第２のシステム情報を前記端末の位置を示す前記ビームに載せて送信することは、以下の場合のうちの一方を、すなわち、前記送信機が、ＲＲＣ接続設定メッセージを送信後に前記第２のシステム情報を送信する場合と、前記送信機が、前記受信機が前記端末により送信されるＲＲＣ接続設定完了メッセージを受信後に前記第２のシステム情報を送信する場合のうちの一方を含む、実施例２２による基地局。
【０１２９】
実施例２４。前記第１のシステム情報は、ブロードキャストチャネル構成情報、オペレータ情報、および追跡エリア情報のうちの１つを含む、実施例１８〜２１のいずれかによる基地局。
【０１３０】
実施例２５。前記第１のシステム情報はさらに、ページングチャネル構成情報を含み、前記ページングチャネル構成情報はページングウィンドウを計算するために前記端末によって使用される、実施例２４による基地局。
【０１３１】
実施例２６。アップリンク信号を送信するように構成される送信機であり、前記アップリンク信号は基地局をトリガして第１のシステム情報を送信させるために使用され、前記第１のシステム情報はセルにキャンプオンするために前記端末によって使用される送信機と、前記基地局によって前記端末の位置を示すビームに載せて送信される前記第１のシステム情報を受信するように構成される受信機とを含む端末。
【０１３２】
実施例２７。前記受信機は、前記端末がアップリンク信号を送信する前に、少なくとも１つのビームを用いることによって前記セル中の前記基地局により送信されるダウンリンク信号を受信するようにさらに構成され、前記ダウンリンク信号はダウンリンクディスカバリリファレンス信号（ＤＲＳ）を含み、前記ダウンリンクＤＲＳは前記セルを発見するために前記端末によって使用される、実施例２６による端末。
【０１３３】
実施例２８。前記端末は、前記ダウンリンクＤＲＳに応じて前記セルがキャンピングに適していることを事前に判定するようにさらに構成される少なくとも１つのプロセッサを含む、実施例２７による実施例２７による端末。
【０１３４】
実施例２９。前記送信機は、前記アップリンク信号を前記アップリンク信号のプリセット構成情報に応じて前記基地局に送信するように具体的に構成される、実施例２８による端末。
【０１３５】
実施例３０。前記ダウンリンク信号はさらに、前記アップリンク信号の構成情報を含み、前記送信機は、前記アップリンク信号を前記アップリンク信号の前記構成情報に応じて前記基地局に送信するように具体的に構成され、前記アップリンク信号の前記構成情報は前記基地局によって送信される、実施例２８による端末。
【０１３６】
実施例３１。前記少なくとも１つのプロセッサは、前記受信機が前記基地局により前記端末の位置を示す前記ビームに載せて送信される前記第１のシステム情報を受信した後に、前記第１のシステム情報に応じて前記基地局に対して無線リソース制御（ＲＲＣ）接続設定処理を開始するようにさらに構成され、前記受信機は、前記ＲＲＣ接続設定処理中にまたは前記ＲＲＣ接続設定処理の後で、前記基地局により前記端末の位置を示す前記ビームに載せて送信される第２のシステム情報を受信するようにさらに構成され、前記第２のシステム情報は前記セル内で通信を実行するために前記端末によって使用される、実施例２８〜３０のいずれかによる端末。
【０１３７】
実施例３２。前記受信機が、前記ＲＲＣ接続設定処理中にまたは前記ＲＲＣ接続設定処理の後で前記端末によって、前記基地局により前記端末の位置を示す前記ビームに載せて送信される第２のシステム情報を受信することは、以下の場合のうちの一方を、すなわち、前記基地局がＲＲＣ接続設定メッセージを送信後に、前記受信機が前記基地局により送信される前記第２のシステム情報を受信する場合と、前記基地局が前記端末により送信されるＲＲＣ接続設定完了メッセージを受信後に、前記受信機が前記基地局により送信される前記第２のシステム情報を受信する場合のうちの一方を含む、実施例３１による端末。
【０１３８】
実施例３３。前記第１のシステム情報は、ブロードキャストチャネル構成情報、オペレータ情報、および追跡エリア情報のうちの１つを含む、実施例２８〜３０のいずれかによる端末。
【０１３９】
実施例３４。前記第１のシステム情報はさらに、ページングチャネル構成情報を含み、前記ページングチャネル構成情報はページングウィンドウを計算するために前記端末によって使用され、前記少なくとも１つのプロセッサは、前記ページングチャネル構成情報に応じて前記ページングウィンドウを計算するようにさらに構成される、実施例３３による端末。
【０１４０】
実施例３５。実施例１８〜２１のいずれかによる前記基地局と、実施例２６〜３０のいずれかによる前記端末とを含む通信システム。
【国際調査報告】
2018532347.tif 000014
2018532347.tif 000015
2018532347.tif 000016
2018532347.tif 000017